(57)【特許請求の範囲】
【請求項１】
無線通信方法であって、
前記無線通信方法は、端末、または端末において使用されるチップに適用され、基地局が、少なくとも２つのサービングセルを使用することによって、キャリアアグリゲーションサービスを前記端末に提供し、前記少なくとも２つのサービングセルは、第１サービングセルおよび第２サービングセルを含み、前記無線通信方法は、
前記第１サービングセルのダウンリンク通信に障害が発生したことを検出したとき、前記第２サービングセルのダウンリンク通信が正常であると決定する段階と、
前記ダウンリンク通信が正常であると決定された前記第２サービングセルのアップリンクチャネルで通信障害復旧要求を送信する段階であって、前記通信障害復旧要求は、前記第１サービングセルのダウンリンク通信障害からの復旧を要求するために使用される、段階と、
前記第２サービングセルのダウンリンクチャネルで通信障害復旧応答を検出する段階であって、前記通信障害復旧応答は、前記第１サービングセルのダウンリンク通信リソースを示すために使用される、段階と
を備え、
前記第２サービングセルは、前記第２サービングセルのインデックスが最小であること、前記第２サービングセルのダウンリンクチャネルのチャネル品質が最良であること、および、前記第２サービングセルに対応するキャリア周波数が最低であることのうち少なくとも１つを満たす、
無線通信方法。
【請求項２】
通信障害復旧要求を送信する前記段階の前に、前記無線通信方法は、
障害復旧要求構成情報を前記基地局から受信する段階であって、前記障害復旧要求構成情報は、前記通信障害復旧要求が送信される前記アップリンクチャネルを示すために使用され、前記アップリンクチャネルは、以下のチャネル、すなわち、物理アップリンク制御チャネル、物理ランダムアクセスチャネルおよび物理アップリンク共有チャネルのうち１つである、段階
を更に備える、請求項１に記載の無線通信方法。
【請求項３】
前記通信障害復旧要求が送信される前記アップリンクチャネルが前記物理アップリンク共有チャネルであるとき、前記物理アップリンク共有チャネルで搬送される前記通信障害復旧要求は、媒体アクセス制御層制御要素において搬送される、請求項２に記載の無線通信方法。
【請求項４】
通信障害復旧応答を検出する前記段階の前に、前記無線通信方法は、
障害復旧応答構成情報を前記基地局から受信する段階であって、前記障害復旧応答構成情報は、前記通信障害復旧応答が検出される前記ダウンリンクチャネルを示すために使用され、前記ダウンリンクチャネルは、以下のチャネル、すなわち、物理ダウンリンク制御チャネルおよび物理ダウンリンク共有チャネルのうち１つである、段階
を更に備える、請求項１から３のいずれか一項に記載の無線通信方法。
【請求項５】
前記通信障害復旧応答が検出される前記ダウンリンクチャネルが前記物理ダウンリンク共有チャネルであるとき、前記物理ダウンリンク共有チャネルで搬送される前記通信障害復旧応答は、媒体アクセス制御層制御要素において搬送される、請求項４に記載の無線通信方法。
【請求項６】
前記無線通信方法は、前記少なくとも２つのサービングセルのすべてのダウンリンク通信に障害が発生したことを検出したとき、前記第２サービングセルのインデックスが最小であること、前記第２サービングセルのダウンリンクチャネルのチャネル品質が最良であること、および、前記第２サービングセルに対応するキャリア周波数が最低であることのうち少なくとも１つを前記第２サービングセルが満たすと決定する段階と、
当該第２サービングセルの前記アップリンクチャネルで前記通信障害復旧要求を送信する段階とを備える、請求項１に記載の無線通信方法。
【請求項７】
無線通信方法であって、
前記無線通信方法は、基地局、または、基地局において使用されるチップに適用され、前記基地局は、少なくとも２つのサービングセルを使用することによって、キャリアアグリゲーションサービスを端末に提供し、前記少なくとも２つのサービングセルは、第１サービングセルおよび第２サービングセルを含み、前記無線通信方法は、
前記第２サービングセルのアップリンクチャネルで前記端末から通信障害復旧要求を受信する段階であって、前記通信障害復旧要求は、前記第１サービングセルのダウンリンク通信障害からの復旧を要求するために使用される、段階と、
通信障害復旧応答を生成する段階であって、前記通信障害復旧応答は、前記第１サービングセルのダウンリンク通信リソースを示すために使用される、段階と、
前記第２サービングセルのダウンリンクチャネルで前記通信障害復旧応答を前記端末へ送信する段階と
を備え、
前記第２サービングセルは、前記第２サービングセルのインデックスが最小であること、前記第２サービングセルのダウンリンクチャネルのチャネル品質が最良であること、および、前記第２サービングセルに対応するキャリア周波数が最低であることのうち少なくとも１つを満たす、
無線通信方法。
【請求項８】
前記端末から通信障害復旧要求を受信する前記段階の前に、前記無線通信方法は、
障害復旧要求構成情報を前記端末へ送信する段階であって、前記障害復旧要求構成情報は、前記通信障害復旧要求が送信される前記アップリンクチャネルを示すために使用され、前記アップリンクチャネルは、以下のチャネル、すなわち、物理アップリンク制御チャネル、物理ランダムアクセスチャネルおよび物理アップリンク共有チャネルのうち１つである、段階
を更に備える、請求項７に記載の無線通信方法。
【請求項９】
前記通信障害復旧要求が送信される前記アップリンクチャネルが前記物理アップリンク共有チャネルであることが示されるとき、前記物理アップリンク共有チャネルで搬送される前記通信障害復旧要求は、媒体アクセス制御層制御要素において搬送される、請求項８に記載の無線通信方法。
【請求項１０】
通信障害復旧応答を送信する前記段階の前に、前記無線通信方法は、
障害復旧応答構成情報を前記端末へ送信する段階であって、前記障害復旧応答構成情報は、前記通信障害復旧応答が検出される前記ダウンリンクチャネルを示すために使用され、前記ダウンリンクチャネルは、以下のチャネル、すなわち、物理ダウンリンク制御チャネルおよび物理ダウンリンク共有チャネルのうち１つである、段階
を更に備える、請求項７から９のいずれか一項に記載の無線通信方法。
【請求項１１】
前記通信障害復旧応答が検出される前記ダウンリンクチャネルが前記物理ダウンリンク共有チャネルであることが示されるとき、前記物理ダウンリンク共有チャネルで搬送される前記通信障害復旧応答は、媒体アクセス制御層制御要素において搬送される、請求項１０に記載の無線通信方法。
【請求項１２】
無線通信機器であって、
前記無線通信機器は、端末、または端末において使用されるチップであり、基地局が、少なくとも２つのサービングセルを使用することによって、キャリアアグリゲーションサービスを前記端末に提供し、前記少なくとも２つのサービングセルは、第１サービングセルおよび第２サービングセルを含み、前記無線通信機器は、
前記第１サービングセルのダウンリンク通信に障害が発生したことを検出したとき、前記第２サービングセルのダウンリンク通信が正常であると決定するよう構成される処理ユニットと、
前記ダウンリンク通信が正常であると決定された前記第２サービングセルのアップリンクチャネルで通信障害復旧要求を送信するよう構成される送信ユニットであって、前記通信障害復旧要求は、前記第１サービングセルのダウンリンク通信障害からの復旧を要求するために使用される、送信ユニットと、
前記第２サービングセルのダウンリンクチャネルで通信障害復旧応答を検出するよう構成される受信ユニットであって、前記通信障害復旧応答は、前記第１サービングセルのダウンリンク通信リソースを示すために使用される、受信ユニットとを備え、
前記第２サービングセルは、前記第２サービングセルのインデックスが最小であること、前記第２サービングセルのダウンリンクチャネルのチャネル品質が最良であること、および、前記第２サービングセルに対応するキャリア周波数が最低であることのうち少なくとも１つを満たす、
無線通信機器。
【請求項１３】
前記受信ユニットは更に、障害復旧要求構成情報を前記基地局から受信するよう構成され、前記障害復旧要求構成情報は、前記通信障害復旧要求が送信される前記アップリンクチャネルを示すために使用され、前記アップリンクチャネルは、以下のチャネル、すなわち、物理アップリンク制御チャネル、物理ランダムアクセスチャネル、および、物理アップリンク共有チャネルのうち１つである、請求項１２に記載の無線通信機器。
【請求項１４】
前記通信障害復旧要求が送信される前記アップリンクチャネルが前記物理アップリンク共有チャネルであるとき、前記物理アップリンク共有チャネルで搬送される前記通信障害復旧要求は、媒体アクセス制御層制御要素において搬送される、請求項１３に記載の無線通信機器。
【請求項１５】
前記受信ユニットは更に、前記基地局から障害復旧応答構成情報を受信するよう構成され、前記障害復旧応答構成情報は、前記通信障害復旧応答が検出される前記ダウンリンクチャネルを示すために使用され、前記ダウンリンクチャネルは、以下のチャネル、すなわち、物理ダウンリンク制御チャネルおよび物理ダウンリンク共有チャネルのうち１つである、請求項１２から１４のいずれか一項に記載の無線通信機器。
【請求項１６】
前記通信障害復旧応答が検出される前記ダウンリンクチャネルが前記物理ダウンリンク共有チャネルであるとき、前記物理ダウンリンク共有チャネルで搬送される前記通信障害復旧応答は、媒体アクセス制御層制御要素において搬送される、請求項１５に記載の無線通信機器。
【請求項１７】
前記処理ユニットは、前記少なくとも２つのサービングセルのすべてのダウンリンク通信に障害が発生したことを検出したとき、前記第２サービングセルのインデックスが最小であること、前記第２サービングセルのダウンリンクチャネルのチャネル品質が最良であること、および、前記第２サービングセルに対応するキャリア周波数が最低であることのうち少なくとも１つを前記第２サービングセルが満たすと決定し、当該第２サービングセルの前記アップリンクチャネルで前記通信障害復旧要求を送信するよう構成される、請求項１２に記載の無線通信機器。
【請求項１８】
無線通信機器であって、
前記無線通信機器は、基地局、または基地局において使用されるチップであり、前記基地局は、少なくとも２つのサービングセルを使用することによって、キャリアアグリゲーションサービスを端末に提供し、前記少なくとも２つのサービングセルは、第１サービングセルおよび第２サービングセルを含み、前記無線通信機器は、
前記第２サービングセルのアップリンクチャネルで前記端末から通信障害復旧要求を受信するよう構成される受信ユニットであって、前記通信障害復旧要求は、前記第１サービングセルのダウンリンク通信障害からの復旧を要求するために使用される、受信ユニットと、
通信障害復旧応答を生成するよう構成される処理ユニットであって、前記通信障害復旧応答は、前記第１サービングセルのダウンリンク通信リソースを示すために使用される、処理ユニットと、
前記第２サービングセルのダウンリンクチャネルで前記端末へ前記通信障害復旧応答を送信するよう構成される送信ユニットと
を備え、
前記第２サービングセルは、前記第２サービングセルのインデックスが最小であること、前記第２サービングセルのダウンリンクチャネルのチャネル品質が最良であること、および、前記第２サービングセルに対応するキャリア周波数が最低であることのうち少なくとも１つを満たす、
無線通信機器。
【請求項１９】
前記受信ユニットは更に、障害復旧要求構成情報を前記端末へ送信するよう構成され、前記障害復旧要求構成情報は、前記通信障害復旧要求が送信される前記アップリンクチャネルを示すために使用され、前記アップリンクチャネルは、以下のチャネル、すなわち、物理アップリンク制御チャネル、物理ランダムアクセスチャネル、および、物理アップリンク共有チャネルのうち１つである、請求項１８に記載の無線通信機器。
【請求項２０】
前記通信障害復旧要求が送信される前記アップリンクチャネルが前記物理アップリンク共有チャネルであることが示されるとき、前記物理アップリンク共有チャネルで搬送される前記通信障害復旧要求は、媒体アクセス制御層制御要素において搬送される、請求項１９に記載の無線通信機器。
【請求項２１】
前記送信ユニットは更に、前記端末へ障害復旧応答構成情報を送信するよう構成され、前記障害復旧応答構成情報は、前記通信障害復旧応答が検出される前記ダウンリンクチャネルを示すために使用され、前記ダウンリンクチャネルは、以下のチャネル、すなわち、物理ダウンリンク制御チャネルおよび物理ダウンリンク共有チャネルのうち１つである、請求項１８から２０のいずれか一項に記載の無線通信機器。
【請求項２２】
前記通信障害復旧応答が検出される前記ダウンリンクチャネルが前記物理ダウンリンク共有チャネルであることが示されるとき、前記物理ダウンリンク共有チャネルで搬送される前記通信障害復旧応答は、媒体アクセス制御層制御要素において搬送される、請求項２１に記載の無線通信機器。
【請求項２３】
請求項１から６のいずれか一項に記載の無線通信方法をデバイスに実行させるプログラム。
【請求項２４】
請求項７から１１のいずれか一項に記載の無線通信方法をデバイスに実行させるプログラム。
【発明の詳細な説明】
【技術分野】
【０００１】
本願は、２０１７年１１月２４日に中国国家知識産権局に出願された、「無線通信方法および機器」と題する中国特許出願第２０１７１１１８９０２７．Ｘの優先権を主張するものであり、それは参照によって全体が本明細書に組み込まれる。
【０００２】
本願は、通信技術の分野に関連し、特に、無線通信方法および機器に関連する。
【背景技術】
【０００３】
より高いサービスレートを提供するべく、キャリアアグリゲーション（Ｃａｒｒｉｅｒ  Ａｇｇｒｅｇａｔｉｏｎ，  ＣＡ）の概念が第３世代パートナーシップパートナープロジェクト（Ｔｈｉｒｄ  Ｇｅｎｅｒａｔｉｏｎ  Ｐａｒｔｎｅｒｓｈｉｐ  Ｐｒｏｊｅｃｔ，  ３ＧＰＰ）に導入されている。ＣＡにより、複数の隣接または非隣接キャリアをより大きい帯域幅にまとめることが可能になり得る。ＣＡに参加する、異なるサービングセルに対応するキャリアは、コンポーネントキャリア（Ｃｏｍｐｏｎｅｎｔ  Ｃａｒｒｉｅｒ，  ＣＣ）と称される。現在、ＣＡ対応端末が、複数のサービングセルに接続され得て、各サービングセルは、１つのコンポーネントキャリアＣＣに対応する。
【０００４】
新無線（Ｎｅｗ  Ｒａｄｉｏ，  ＮＲ）システムにおいて、キャリアは、低周波数キャリアおよび高周波数キャリアに分類され得る。ＣＡに参加するコンポーネントキャリアは、すべて低周波数キャリア、または、すべて高周波数キャリアであり得て、低周波数キャリアおよび高周波数キャリアの両方を含み得る。端末は、高周波数キャリアでビーム管理を実行する必要がある。ＮＲシステムにおける高周波数キャリアの場合、端末の移動または回転、物体の遮蔽、通信中の周辺環境の変化などに起因して、基地局と端末との間の通信の品質は通常、影響を受け、基地局と端末との間のビーム対リンクを介した通信さえ中断される。
【０００５】
現在、基地局と端末がキャリアのビーム対リンクを介して互いに通信するとき、ビーム対リンクで通信障害が生じた場合、端末は、キャリア上で候補ビーム情報を再識別し、識別された候補ビーム情報を使用することによって、端末と基地局との間の通信を復旧させる。しかしながら、基地局と端末との間で使用されるキャリア上の通信が現在中断され、端末は、複数回にわたって、識別された候補ビーム情報を使用することによって、キャリア上で端末と基地局との間の通信を直接復旧させることを試行し得る。その結果、これは、長いループバック時間を生じさせ、高速通信障害復旧には好ましくない。
【発明の概要】
【０００６】
本願の実施形態は、通信障害復旧効率を改善するための無線通信方法および機器を提供する。
【０００７】
上記の目的を実現するべく、本願の実施形態において、以下の技術的解決手段が使用される。
【０００８】
第１態様によれば、無線通信方法が提供される。方法は、端末、または端末において使用されるチップに適用され、基地局が、少なくとも２つのサービングセルを使用することによって、キャリアアグリゲーションサービスを端末に提供し、少なくとも２つのサービングセルは、第１サービングセルおよび第２サービングセルを含み、方法は、第１サービングセルのダウンリンク通信に障害が発生したことを検出したとき、第２サービングセルのダウンリンク通信が正常であると決定する段階と、第２サービングセルのアップリンクチャネルで通信障害復旧要求を送信する段階であって、通信障害復旧要求は、第１サービングセルのダウンリンク通信障害からの復旧を要求するために使用される、段階と、第２サービングセルのダウンリンクチャネルで通信障害復旧応答を検出する段階であって、通信障害復旧応答は、第１サービングセルのダウンリンク通信リソースを示すために使用される、段階とを備える。
【０００９】
上述の技術的解決手段において、ダウンリンク通信障害が第１サービングセルにおいて生じたことを端末が検出したとき、端末は、第２サービングセルのダウンリンク通信が正常であると決定し、第２サービングセルのアップリンクチャネルで第１サービングセルの通信障害復旧要求を送信し、第２サービングセルのダウンリンクチャネルで通信障害復旧応答を検出する。これにより、通信障害復旧成功率を改善でき、更に、高速通信障害復旧を実装できる。加えて、第２サービングセルは正常な通信のサービングセルなので、端末は、候補ビーム情報を取得するためにビーム走査を実行する必要が無く、それにより、ビーム走査時間が節約される。
【００１０】
第１態様の可能な実装において、通信障害復旧要求を送信する段階の前に、方法は、障害復旧要求構成情報を基地局から受信する段階であって、障害復旧要求構成情報は、通信障害復旧要求が送信されるアップリンクチャネルを示すために使用され、アップリンクチャネルは、以下のチャネル、すなわち、物理アップリンク制御チャネル、物理ランダムアクセスチャネルおよび物理アップリンク共有チャネルのうち１つである、段階を更に備える。可能な実装において、基地局は、端末のために、通信障害復旧要求が送信されるアップリンクチャネルを構成し、その結果、端末は、構成されたアップリンクチャネルで通信障害復旧要求を送信し得て、それにより、基地局による通信障害復旧要求の検出の成功率を増加させる。
【００１１】
第１態様の可能な実装において、通信障害復旧要求が送信されるアップリンクチャネルが物理アップリンク共有チャネルであるとき、物理アップリンク共有チャネルで搬送される通信障害復旧要求は、媒体アクセス制御層制御要素ＭＡＣ‐ＣＥにおいて搬送される。可能な実装において、第２サービングセルのアップリンクチャネルで通信障害復旧要求を搬送するための方法が提供される。比較的大きいデータ量が物理アップリンク共有チャネルで搬送されるので、端末は、物理アップリンク共有チャネルで通信障害復旧要求を送信する。これにより、端末と基地局との間のシグナリングのインタラクションを低減できる。
【００１２】
第１態様の可能な実装において、物理アップリンク共有チャネルで搬送される通信障害復旧要求が媒体アクセス制御層制御要素ＭＡＣ‐ＣＥにおいて搬送されるとき、ＭＡＣ−ＣＥは、ＭＡＣ要求指示および通信障害復旧要求を含み、ＭＡＣ要求指示は、現在のＭＡＣ‐ＣＥにおけるペイロードが通信障害復旧要求であることを示すために使用される。可能な実装において、端末は、ＭＡＣ要求指示を使用することによって、現在のＭＡＣ‐ＣＥにおけるペイロードが通信障害復旧要求であることを基地局に示し得る。これにより、端末と基地局との間のシグナリングのインタラクションを低減できる。
【００１３】
第１態様の可能な実装において、端末は、媒体アクセス制御ＭＡＣ層および物理層を含み、第２サービングセルのアップリンクチャネルで通信障害復旧要求を送信することは、端末によって、ＭＡＣ層でＭＡＣ要求指示および通信障害復旧要求をパケット化し、ＭＡＣ‐ＣＥデータパケットを取得すること、および、端末によって、物理層で第２サービングセルの物理アップリンク共有チャネルでデータパケットを送信することを含む。可能な実装において、端末は、逆パケット化を通じて取得されたＭＡＣ応答指示に基づいて、現在のＭＡＣ‐ＣＥにおけるペイロードが通信障害復旧応答であると決定し得る。これにより、端末と基地局との間のシグナリングのインタラクションを低減できる。
【００１４】
第１態様の可能な実装において、第２サービングセルのアップリンクチャネルで通信障害復旧要求を送信することは、端末によって、第２サービングセルのアップリンクチャネルでデータパケットを送信することを含み、データパケットは、通信障害復旧要求指示情報を含み、指示情報は、データパケットが通信障害復旧要求を含むことを示すために使用される。可能な実装において、第２サービングセルのアップリンクチャネルで通信障害復旧要求を搬送するための方法が提供される。比較的大きいデータ量が物理アップリンク共有チャネルで搬送されるので、端末は、物理アップリンク共有チャネルで通信障害復旧要求を送信する。これにより、端末と基地局との間のシグナリングのインタラクションを低減できる。
【００１５】
第１態様の可能な実装において、通信障害復旧応答を検出する段階の前に、方法は、障害復旧応答構成情報を基地局から受信する段階であって、障害復旧応答構成情報は、通信障害復旧応答が検出されるダウンリンクチャネルを示すために使用され、ダウンリンクチャネルは、以下のチャネル、すなわち、物理ダウンリンク制御チャネルおよび物理ダウンリンク共有チャネルのうち１つである、段階を更に備える。可能な実装において、基地局は、端末のために、通信障害復旧応答が検出されるダウンリンクチャネルを構成し、その結果、端末は、構成されたダウンリンクチャネルで通信障害復旧応答を検出し得て、それにより、端末による通信障害復旧応答の検出の成功率を増加させる。
【００１６】
第１態様の可能な実装において、通信障害復旧応答が検出されるダウンリンクチャネルが物理ダウンリンク共有チャネルであるとき、物理ダウンリンク共有チャネルで搬送される通信障害復旧応答は、媒体アクセス制御層制御要素ＭＡＣ‐ＣＥにおいて搬送される。可能な実装において、第２サービングセルのアップリンクチャネルで通信障害復旧要求を搬送するための方法が提供される。比較的大きいデータ量が物理アップリンク共有チャネルで搬送されるので、端末は、物理アップリンク共有チャネルで通信障害復旧要求を送信する。これにより、端末と基地局との間のシグナリングのインタラクションを低減できる。
【００１７】
第１態様の可能な実装において、物理ダウンリンク共有チャネルで搬送される通信障害復旧応答が媒体アクセス制御層制御要素ＭＡＣ‐ＣＥにおいて搬送されるとき、ＭＡＣ−ＣＥはＭＡＣ応答指示および通信障害復旧応答を含む。ＭＡＣ応答指示は、現在のＭＡＣ‐ＣＥにおけるペイロードが通信障害復旧応答であることを示すために使用される。
【００１８】
第１態様の可能な実装において、端末は媒体アクセス制御ＭＡＣ層および物理層を含み、第２サービングセルのダウンリンクチャネルで通信障害復旧応答を検出することは、端末によって、物理層で第２サービングセルの物理ダウンリンク共有チャネルで基地局からデータパケットを検出すること、および、端末によって、ＭＡＣ層でデータパケットを逆パケット化し、逆パケット化を通じて取得されたＭＡＣ応答指示に基づいて通信障害復旧応答を決定することを含む。
【００１９】
第１態様の可能な実装において、第２サービングセルのダウンリンクチャネルで通信障害復旧応答を検出することは、第２サービングセルのダウンリンクチャネルで基地局からのデータパケットを検出することを含み、データパケットは、通信障害復旧応答の指示情報を含み、指示情報は、データパケットが通信障害復旧応答を含むことを示すために使用される。可能な実装において、第２サービングセルのアップリンクチャネルで通信障害復旧応答を搬送するための方法が提供される。比較的大きいデータ量が物理ダウンリンク共有チャネルで搬送されるので、基地局は、通信障害復旧応答を物理ダウンリンク共有チャネルに追加する。これにより、端末と基地局との間のシグナリングのインタラクションを低減できる。
【００２０】
第１態様の可能な実装において、第２サービングセルのインデックスが最小であること、第２サービングセルのダウンリンクチャネルのチャネル品質が最良であること、および、第２サービングセルに対応するキャリア周波数が最低であることのうち少なくとも１つを第２サービングセルが更に満たす。可能な実装において、正常な通信のサービングセルが決定された後に、条件を満たす第２サービングセルが更に決定される。これにより、通信障害復旧効率を更に改善でき、通信障害復旧成功率を増加させることができる。
【００２１】
第１態様の可能な実装において、方法は、少なくとも２つのサービングセルのすべてのダウンリンク通信に障害が発生したことを検出したとき、第２サービングセルのインデックスが最小であること、第２サービングセルのダウンリンクチャネルのチャネル品質が最良であること、および、第２サービングセルに対応するキャリア周波数が最低であることのうち少なくとも１つを第２サービングセルが満たすと決定する段階を更に備える。可能な実装において、少なくとも２つのサービングセルのすべてのダウンリンク通信に障害が発生したことを検出したとき、条件を満たす第２サービングセルが選択される。これにより、通信障害復旧効率を更に改善でき、通信障害復旧成功率を更に増加させることができる。
【００２２】
第１態様の可能な実装において、通信障害復旧要求は、第１サービングセルのインデックス、および、第１サービングセルの候補基準信号リソース指示を含み、候補基準信号リソース指示はまた、候補ビーム情報と称され得て、候補基準信号リソース指示は、候補基準信号ポートを表すために使用される。
【００２３】
第１態様の可能な実装において、通信障害復旧応答は、第１サービングセルのインデックス、および、第１サービングセルの標的基準信号リソース指示、すなわち、候補基準信号リソース指示から基地局によって選択された基準信号リソース指示を含む。標的基準信号リソース指示は、ダウンリンクビーム情報とも称され得て、標的基準信号リソース指示は、標的基準信号ポートを表すために使用される。
【００２４】
第２態様によれば、無線通信方法が提供される。方法は、基地局、または、基地局において使用されるチップに適用され、基地局は、少なくとも２つのサービングセルを使用することによって、キャリアアグリゲーションサービスを端末に提供し、少なくとも２つのサービングセルは、第１サービングセルおよび第２サービングセルを含み、方法は、第２サービングセルのアップリンクチャネルで端末から通信障害復旧要求を受信する段階であって、通信障害復旧要求は、第１サービングセルのダウンリンク通信障害からの復旧を要求するために使用される、段階と、通信障害復旧応答を生成する段階であって、通信障害復旧応答は、第１サービングセルのダウンリンク通信リソースを示すために使用される、段階と、第２サービングセルのダウンリンクチャネルで通信障害復旧応答を端末へ送信する段階とを備える。
【００２５】
第２態様の可能な実装において、端末から通信障害復旧要求を受信する段階の前に、方法は、障害復旧要求構成情報を端末へ送信する段階であって、障害復旧要求構成情報は、通信障害復旧要求が送信されるアップリンクチャネルを示すために使用され、アップリンクチャネルは、以下のチャネル、すなわち、物理アップリンク制御チャネル、物理ランダムアクセスチャネルおよび物理アップリンク共有チャネルのうち１つである、段階を更に備える。
【００２６】
第２態様の可能な実装において、通信障害復旧要求が送信されるアップリンクチャネルが物理アップリンク共有チャネルであることが示されるとき、物理アップリンク共有チャネルで搬送される通信障害復旧要求は、媒体アクセス制御層制御要素ＭＡＣ‐ＣＥにおいて搬送される。
【００２７】
第２態様の可能な実装において、物理アップリンク共有チャネルで搬送される通信障害復旧要求が媒体アクセス制御層制御要素ＭＡＣ‐ＣＥにおいて搬送されるとき、ＭＡＣ−ＣＥは、ＭＡＣ要求指示および通信障害復旧要求を含み、ＭＡＣ要求指示は、現在のＭＡＣ‐ＣＥにおけるペイロードが通信障害復旧要求であることを示すために使用される。
【００２８】
第２態様の可能な実装において、基地局は、媒体アクセス制御ＭＡＣ層および物理層を含み、第２サービングセルのアップリンクチャネルで端末から通信障害復旧要求を受信することは、基地局によって、物理層で第２サービングセルの物理アップリンク共有チャネルで端末からデータパケットを受信すること、および、基地局によって、ＭＡＣ層でデータパケットを逆パケット化すること、および、逆パケット化を通じて取得されたＭＡＣ要求指示に基づいて、通信障害復旧要求を決定することを含む。
【００２９】
第２態様の可能な実装において、第２サービングセルのアップリンクチャネルで端末から通信障害復旧要求を受信することは、第２サービングセルのアップリンクチャネルで端末からデータパケットを受信することを含み、データパケットは、通信障害復旧要求の指示情報を含み、指示情報は、データパケットが通信障害復旧要求を含むことを示すために使用され、その結果、指示情報に基づいて、データパケットが通信障害復旧要求を含むことが決定される。可能な実装において、第２サービングセルのアップリンクチャネルで通信障害復旧要求を搬送するための方法が提供される。比較的大きいデータ量が物理アップリンク共有チャネルで搬送されるので、端末は、物理アップリンク共有チャネルで通信障害復旧要求を送信する。これにより、端末と基地局との間のシグナリングのインタラクションを低減できる。
【００３０】
第２態様の可能な実装において、通信障害復旧応答を端末へ送信する段階の前に、方法は、障害復旧応答構成情報を端末へ送信する段階であって、障害復旧応答構成情報は、通信障害復旧応答が検出されるダウンリンクチャネルを示すために使用され、ダウンリンクチャネルは、以下のチャネル、すなわち、物理ダウンリンク制御チャネルおよび物理ダウンリンク共有チャネルのうち１つである、段階を更に備える。
【００３１】
第２態様の可能な実装において、通信障害復旧応答が検出されるダウンリンクチャネルが物理ダウンリンク共有チャネルであることが示されるとき、物理ダウンリンク共有チャネルで搬送される通信障害復旧応答は、媒体アクセス制御層制御要素ＭＡＣ‐ＣＥにおいて搬送される。
【００３２】
第２態様の可能な実装において、物理ダウンリンク共有チャネルで搬送される通信障害復旧応答が媒体アクセス制御層制御要素ＭＡＣ‐ＣＥにおいて搬送されるとき、ＭＡＣ−ＣＥはＭＡＣ応答指示および通信障害復旧応答を含み、ＭＡＣ応答指示は、現在のＭＡＣ‐ＣＥにおけるペイロードが通信障害復旧応答であることを示すために使用される。
【００３３】
第２態様の可能な実装において、基地局は、媒体アクセス制御ＭＡＣ層および物理層を含み、第２サービングセルのダウンリンクチャネルで端末へ通信障害復旧応答を送信することは、ＭＡＣ‐ＣＥデータパケットを取得するために、基地局によって、ＭＡＣ層でＭＡＣ応答指示および通信障害復旧応答をパケット化すること、および、基地局によって、物理層で、第２サービングセルの物理ダウンリンク共有チャネルでデータパケットを送信することを含む。
【００３４】
第２態様の可能な実装において、第２サービングセルのダウンリンクチャネルで端末へ通信障害復旧応答を送信することは、基地局によって、第２サービングセルのダウンリンクチャネルでデータパケットを送信することを含み、データパケットは、通信障害復旧応答の指示情報を含み、指示情報は、データパケットが通信障害復旧応答を含むことを示すために使用され、その結果、端末は、指示情報に基づいて、データパケットが通信障害復旧応答を含むことを決定できる。可能な実装において、第２サービングセルのダウンリンクチャネルで通信障害復旧応答を搬送するための方法が提供される。比較的大きいデータ量が物理ダウンリンク共有チャネルで搬送されるので、基地局は、通信障害復旧応答を物理ダウンリンク共有チャネルへ送信する。これにより、端末と基地局との間のシグナリングのインタラクションを低減できる。
【００３５】
第２態様の可能な実装において、第２サービングセルのインデックスが最小であること、第２サービングセルのダウンリンクチャネルのチャネル品質が最良であること、および、第２サービングセルに対応するキャリア周波数が最低であることのうち少なくとも１つを第２サービングセルが更に満たす。
【００３６】
第２態様の可能な実装において、通信障害復旧要求は、第１サービングセルのインデックス、および、第１サービングセルの候補基準信号リソース指示を含み、候補基準信号リソース指示はまた、候補ビーム情報と称され得て、候補基準信号リソース指示は、候補基準信号ポートを表すために使用される。
【００３７】
第２態様の可能な実装において、通信障害復旧応答は、第１サービングセルのインデックス、および、第１サービングセルの標的基準信号リソース指示、すなわち、候補基準信号リソース指示から基地局によって選択された基準信号リソース指示を含む。標的基準信号リソース指示は、ダウンリンクビーム情報とも称され得て、標的基準信号リソース指示は、標的基準信号ポートを表すために使用される。
【００３８】
第３態様によれば、無線通信機器が提供される。無線通信機器は、端末、または、端末において使用されるチップであり、基地局は、少なくとも２つのサービングセルを使用することによって、キャリアアグリゲーションサービスを端末に提供し、少なくとも２つのサービングセルは、第１サービングセルおよび第２サービングセルを含み、無線通信機器は、第１態様、または、第１態様の可能な実装のいずれか１つに提供される無線通信方法を実装することが可能な機能を含む。機能はハードウェアによって実装され得る、または、対応するソフトウェアを実行するハードウェアによって実装され得る。ハードウェアまたはソフトウェアは、前述の機能に対応する１または複数のユニットを含む。
【００３９】
第３態様の可能な実装において、無線通信機器の構造は、プロセッサに接続されるプロセッサおよびメモリを含む。メモリは、プログラムコードを格納するよう構成され、プログラムコードがプロセッサによって実行されるとき、無線通信機器は、以下の段階、すなわち、第１サービングセルのダウンリンク通信の障害が発生したことを検出したとき、第２サービングセルのダウンリンク通信が正常であると決定する段階、第２サービングセルのアップリンクチャネルで通信障害復旧要求を送信する段階であって、通信障害復旧要求は、第１サービングセルのダウンリンク通信障害からの復旧を要求するために使用される、段階と、第２サービングセルのダウンリンクチャネルで通信障害復旧応答を検出する段階であって、通信障害復旧応答は、第１サービングセルのダウンリンク通信リソースを示すために使用される、段階とを実行することが可能になる。
【００４０】
第３態様の可能な実装において、通信障害復旧要求を送信する前に、無線通信機器は、以下の段階、すなわち、障害復旧要求構成情報を基地局から受信する段階であって、障害復旧要求構成情報は、通信障害復旧要求が送信されるアップリンクチャネルを示すために使用され、アップリンクチャネルは、以下のチャネル、すなわち、物理アップリンク制御チャネル、物理ランダムアクセスチャネル、物理アップリンク共有チャネルの１つである、段階を更に実行する。
【００４１】
第３態様の可能な実装において、通信障害復旧要求が送信されるアップリンクチャネルが物理アップリンク共有チャネルであるとき、物理アップリンク共有チャネルで搬送される通信障害復旧要求は、媒体アクセス制御層制御要素ＭＡＣ‐ＣＥにおいて搬送される。
【００４２】
第３態様の可能な実装において、物理アップリンク共有チャネルで搬送される通信障害復旧要求が媒体アクセス制御層制御要素ＭＡＣ‐ＣＥにおいて搬送されるとき、ＭＡＣ−ＣＥは、ＭＡＣ要求指示および通信障害復旧要求を含み、ＭＡＣ要求指示は、現在のＭＡＣ‐ＣＥにおけるペイロードが通信障害復旧要求であることを示すために使用される。
【００４３】
第３態様の可能な実装において、無線通信機器は、媒体アクセス制御ＭＡＣ層および物理層を含み、無線通信機器は、以下の段階、すなわち、ＭＡＣ‐ＣＥデータパケットを取得するために、ＭＡＣ層でＭＡＣ要求指示および通信障害復旧要求をパケット化する段階と、物理層で第２サービングセルの物理アップリンク共有チャネルでデータパケットを送信する段階とを更に実行する。
【００４４】
第３態様の可能な実装において、無線通信機器は、以下の段階、すなわち、第２サービングセルのアップリンクチャネルでデータパケットを送信する段階であって、データパケットは、通信障害復旧要求の指示情報を含み、指示情報は、データパケットが通信障害復旧要求を含むことを示すために使用される、段階を更に実行する。
【００４５】
第３態様の可能な実装において、通信障害復旧応答を検出する段階の前に、無線通信機器は、以下の段階、すなわち、障害復旧応答構成情報を基地局から受信する段階であって、障害復旧応答構成情報は、通信障害復旧応答が検出されるダウンリンクチャネルを示すために使用され、ダウンリンクチャネルは、以下のチャネル、すなわち、物理ダウンリンク制御チャネルおよび物理ダウンリンク共有チャネルのうち１つである、段階を更に実行する。
【００４６】
第３態様の可能な実装において、通信障害復旧応答が検出されるダウンリンクチャネルが物理ダウンリンク共有チャネルであるとき、物理ダウンリンク共有チャネルで搬送される通信障害復旧応答は、媒体アクセス制御層制御要素ＭＡＣ‐ＣＥにおいて搬送される。
【００４７】
第３態様の可能な実装において、物理ダウンリンク共有チャネルで搬送される通信障害復旧応答が媒体アクセス制御層制御要素ＭＡＣ‐ＣＥにおいて搬送されるとき、ＭＡＣ−ＣＥはＭＡＣ応答指示および通信障害復旧応答を含み、ＭＡＣ応答指示は、現在のＭＡＣ‐ＣＥにおけるペイロードが通信障害復旧応答であることを示すために使用される。
【００４８】
第３態様可能な実装において、無線通信機器は、媒体アクセス制御ＭＡＣ層および物理層を含み、無線通信機器は、以下の段階、すなわち、物理層で第２サービングセルの物理ダウンリンク共有チャネルで基地局からのデータパケットを検出する段階と、ＭＡＣ層でデータパケットを逆パケット化し、逆パケット化を通じて取得されたＭＡＣ応答指示に基づいて、通信障害復旧応答を決定する段階とを更に実行する。
【００４９】
第３態様の可能な実装において、無線通信機器は、以下の段階、すなわち、第２サービングセルのダウンリンクチャネルで基地局からのデータパケットを検出する段階であって、データパケットは通信障害復旧応答の指示情報を含み、指示情報は、データパケットが通信障害復旧応答を含むことを示すために使用される、段階を更に実行する。
【００５０】
第３態様の可能な実装において、第２サービングセルのインデックスが最小であること、第２サービングセルのダウンリンクチャネルのチャネル品質が最良であること、および、第２サービングセルに対応するキャリア周波数が最低であることのうち少なくとも１つを第２サービングセルが更に満たす。
【００５１】
第３態様の可能な実装において、無線通信機器は、以下の段階、すなわち、少なくとも２つのサービングセルのすべてのダウンリンク通信に障害が発生したことを検出したとき、第２サービングセルのインデックスが最小であること、第２サービングセルのダウンリンクチャネルのチャネル品質が最良であること、および、第２サービングセルに対応するキャリア周波数が最低であることのうち少なくとも１つを第２サービングセルが満たすと決定する段階とを更に実行する。
【００５２】
第４態様によれば、無線通信機器が提供される。無線通信機器は、基地局、または、基地局において使用されるチップであり得て、無線通信機器は、第２態様、または、第２態様の可能な実装のいずれか１つにおいて提供される無線通信方法を実装可能な機能を含む。機能はハードウェアによって実装され得る、または、対応するソフトウェアを実行するハードウェアによって実装され得る。ハードウェアまたはソフトウェアは、前述の機能に対応する１または複数のユニットを含む。
【００５３】
第４態様の可能な実装において、無線通信機器は、基地局、または、基地局において使用されるチップであり、基地局は、少なくとも２つのサービングセルを使用することによって、キャリアアグリゲーションサービスを端末に提供し、少なくとも２つのサービングセルは、第１サービングセルおよび第２サービングセルを含み、無線通信機器の構造は、プロセッサ、および、プロセッサに接続されたメモリを含む。メモリはプログラムコードを格納するよう構成され、プログラムコードがプロセッサによって実行されるとき、無線通信機器は、以下の段階、すなわち、第２サービングセルのアップリンクチャネルで端末から通信障害復旧要求を受信する段階であって、通信障害復旧要求は、第１サービングセルのダウンリンク通信障害からの復旧を要求するために使用される、段階と、通信障害復旧応答を生成する段階であって、通信障害復旧応答は、第１サービングセルのダウンリンク通信リソースを示すために使用される、段階と、第２サービングセルのダウンリンクチャネルで通信障害復旧応答を端末へ送信する段階とを実行することが可能になる。
【００５４】
第４態様の可能な実装において、無線通信機器は、以下の段階、すなわち、障害復旧要求構成情報を端末へ送信する段階であって、障害復旧要求構成情報は、通信障害復旧要求が送信されるアップリンクチャネルを示すために使用され、アップリンクチャネルは、以下のチャネル、すなわち、物理アップリンク制御チャネル、物理ランダムアクセスチャネルおよび物理アップリンク共有チャネルのうち１つである、段階を更に実行する。
【００５５】
第４態様の可能な実装において、通信障害復旧要求が送信されるアップリンクチャネルが物理アップリンク共有チャネルであることが示されるとき、物理アップリンク共有チャネルで搬送される通信障害復旧要求は、媒体アクセス制御層制御要素において搬送される。
【００５６】
第４態様の可能な実装において、物理アップリンク共有チャネルで搬送される通信障害復旧要求が媒体アクセス制御層制御要素ＭＡＣ‐ＣＥにおいて搬送されるとき、ＭＡＣ−ＣＥは、ＭＡＣ要求指示および通信障害復旧要求を含み、ＭＡＣ要求指示は、現在のＭＡＣ‐ＣＥにおけるペイロードが通信障害復旧要求であることを示すために使用される。
【００５７】
第４態様の可能な実装において、無線通信機器は、媒体アクセス制御ＭＡＣ層および物理層を含み、無線通信機器は、以下の段階、すなわち、物理層で第２サービングセルの物理アップリンク共有チャネルで端末からデータパケットを受信すること、および、ＭＡＣ層でデータパケットを逆パケット化し、逆パケット化を通じて取得されたＭＡＣ要求指示に基づいて、通信障害復旧応答を決定することを更に実行する。
【００５８】
第４態様の可能な実装において、無線通信機器は、以下の段階、すなわち、第２サービングセルのアップリンクチャネルで端末からデータパケットを受信する段階であって、データパケットは、通信障害復旧要求の指示情報を含み、指示情報は、データパケットが通信障害復旧要求を含むことを示すために使用され、その結果、指示情報に基づいて、データパケットが通信障害復旧要求を含むことが決定される、段階を更に実行する。
【００５９】
第４態様の可能な実装において、無線通信機器は、以下の段階、すなわち、障害復旧応答構成情報を端末へ送信する段階であって、障害復旧応答構成情報は、通信障害復旧応答が検出されるダウンリンクチャネルを示すために使用され、ダウンリンクチャネルは、以下のチャネル、すなわち、物理ダウンリンク制御チャネルおよび物理ダウンリンク共有チャネルのうち１つである、段階を更に実行する。
【００６０】
第４態様の可能な実装において、通信障害復旧応答が検出されるダウンリンクチャネルが物理ダウンリンク共有チャネルであることが示されるとき、物理ダウンリンク共有チャネルで搬送される通信障害復旧応答は、媒体アクセス制御層制御要素ＭＡＣ‐ＣＥにおいて搬送される。
【００６１】
第４態様の可能な実装において、物理ダウンリンク共有チャネルで搬送される通信障害復旧応答が媒体アクセス制御層制御要素ＭＡＣ‐ＣＥにおいて搬送されるとき、ＭＡＣ−ＣＥはＭＡＣ応答指示および通信障害復旧応答を含み、ＭＡＣ応答指示は、現在のＭＡＣ‐ＣＥにおけるペイロードが通信障害復旧応答であることを示すために使用される。
【００６２】
第４態様の可能な実装において、無線通信機器は、媒体アクセス制御ＭＡＣ層および物理層を含み、無線通信機器は、以下の段階、すなわち、ＭＡＣ‐ＣＥデータパケットを取得するために、ＭＡＣ層でＭＡＣ応答指示および通信障害復旧応答をパケット化する段階と、物理層で第２サービングセルの物理アップリンク共有チャネルでデータパケットを送信する段階とを更に実行する。
【００６３】
第４態様の可能な実装において、無線通信機器は、以下の段階、すなわち、第２サービングセルのダウンリンクチャネルでデータパケットを送信する段階であって、データパケットは、通信障害復旧応答の指示情報を含み、指示情報は、データパケットが通信障害復旧応答を含むことを示すために使用され、その結果、端末は、指示情報に基づいて、データパケットが通信障害復旧応答を含むと決定し得る、段階を更に実行する。
【００６４】
第４態様の可能な実装において、第２サービングセルのインデックスが最小であること、第２サービングセルのダウンリンクチャネルのチャネル品質が最良であること、および、第２サービングセルに対応するキャリア周波数が最低であることのうち少なくとも１つを第２サービングセルが更に満たす。
【００６５】
本願の第５の態様によれば、コンピュータ可読記憶媒体が提供される。コンピュータ可読記憶媒体は、命令を格納し、当該命令がコンピュータで実行されるとき、コンピュータは、第１態様、または、第１態様の可能な実装のいずれか１つにおいて提供される無線通信方法を実行可能である。
【００６６】
本願の第６の態様によれば、コンピュータ可読記憶媒体が提供される。コンピュータ可読記憶媒体は命令を格納する。命令がコンピュータで実行されるとき、コンピュータは、第２態様、または、第２態様の可能な実装のいずれか１つにおいて提供される無線通信方法を実行可能である。
【００６７】
本願の第７の態様によれば、命令を含むコンピュータプログラム製品が提供される。コンピュータプログラム製品がコンピュータで実行されるとき、コンピュータは、第１態様、または、第１態様の可能な実装のいずれか１つにおいて提供される無線通信方法を実行可能である。
【００６８】
本願の第８の態様によれば、コンピュータプログラム製品が提供される。コンピュータプログラム製品がコンピュータで実行されるとき、コンピュータは、第２態様、または、第２態様の可能な実装のいずれか１つにおいて提供される無線通信方法を実行可能である。
【００６９】
本願の第９の態様によれば、通信システムが提供される。通信システムは端末および基地局を含む。基地局は、少なくとも２つのサービングセルを使用することによって、キャリアアグリゲーションサービスを端末に提供し、少なくとも２つのサービングセルは第１サービングセルおよび第２サービングセルを含む。端末は、上述の態様において提供される端末であり得て、第１態様、または、第１態様の可能な実装のいずれか１つにおいて提供される無線通信方法を端末が実行することをサポートするよう構成される、および／または、基地局は、上述の態様において提供される基地局であり、第２態様、または、第２態様の可能な実装のいずれか１つにおいて提供される無線通信方法を基地局が実行することをサポートするよう構成される。
【００７０】
上で提供される無線通信方法の機器、コンピュータ記憶媒体、または、コンピュータプログラム製品のいずれか１つは、上で提供される対応する方法を実行するよう構成されることが理解され得る。したがって、機器、コンピュータ記憶媒体、またはコンピュータプログラム製品の有益な効果については、上で提供される対応する方法における有益な効果を参照されたい。ここでは詳細を再度説明しない。
【図面の簡単な説明】
【００７１】
【図１】本願の一実施形態による通信システムの概略的構造図である。
【００７２】
【図２】本願の一実施形態による通信障害復旧方法の概略フローチャートである。
【００７３】
【図３】本願の一実施形態による無線通信方法の概略フローチャートである。
【００７４】
【図４】本願の一実施形態による通信障害復旧要求の搬送の概略図である。
【００７５】
【図５】本願の一実施形態による通信障害復旧要求の送信の概略フローチャートである。
【００７６】
【図６】本願の一実施形態による通信障害復旧応答の搬送の概略図である。
【００７７】
【図７】本願の一実施形態による通信障害復旧応答の検出の概略フローチャートである。
【００７８】
【図８】本願の一実施形態による別の無線通信方法の概略フローチャートである。
【００７９】
【図９】本願の一実施形態による無線通信機器の概略的構造図である。
【００８０】
【図１０】本願の一実施形態による別の無線通信機器の概略的構造図である。
【００８１】
【図１１】本願の一実施形態による更に別の無線通信機器の概略的構造図である。
【００８２】
【図１２】本願の一実施形態による更に別の無線通信機器の概略的構造図である。
【発明を実施するための形態】
【００８３】
より高いサービスレートを提供するべく、キャリアアグリゲーション（Ｃａｒｒｉｅｒ  Ａｇｇｒｅｇａｔｉｏｎ，  ＣＡ）という概念が３ＧＰＰに導入されている。ＣＡによって、複数の隣接または非隣接キャリアをより大きい帯域幅に帯域集約することが可能になる。例えば、２０ＭＨｚの帯域幅を各々有する２つのキャリアが、４０ＭＨｚの帯域幅にまとめられ得る。ＣＡに参加する、異なるセルに対応するキャリアは、コンポーネントキャリア（Ｃｏｍｐｏｎｅｎｔ  Ｃａｒｒｉｅｒ，  ＣＣ）と称され得る。ＣＡ対応端末は、複数のサービングセルに接続され得て、端末に接続され得る複数のサービングセルの数は、３ＧＰＰプロトコルおよび端末の能力の両方に従って決定され得る。端末がサービングセルにおける無線リソース制御（Ｒａｄｉｏ  Ｒｅｓｏｕｒｃｅ  Ｃｏｎｔｒｏｌ，  ＲＲＣ）接続を開始して確立に成功した後、サービングセルは、端末がキャンプオンするサービングセルであり、サービングセルは、基地局と端末との間のＲＲＣ通信を担う。基地局は、ＲＲＣ接続を確立することによって、端末のために別のサービングセルを構成し得る。
【００８４】
３ＧＰＰで定義されるＣＡデプロイメントシナリオは、同一サイト・同一カバレッジ、同一サイト・非同一カバレッジ、同一サイト・カバレッジホール充填、同一サイト・非同一カバレッジ＋リモートラジオヘッド（Ｒｅｍｏｔｅ  Ｒａｄｉｏ  Ｈｅａｄｓ，  ＲＲＨ）、同一サイト・非同一カバレッジ＋リピータを含み得る。
【００８５】
本願の実施形態は、上述のＣＡデプロイメントシナリオのいずれか１つを含む通信システムに適用可能である。通信システムは、ロングタームエボリューション（Ｌｏｎｇ  Ｔｅｒｍ  Ｅｖｏｌｕｔｉｏｎ，  ＬＴＥ）システム、ＮＲシステム、および、任意の将来の通信システムを含み得る。具体的には、通信システムは、基地局および端末を備え得て、端末は、複数のサービングセルに接続され得る。基地局は具体的には、マクロ基地局、マイクロ基地局、ノードＢ（ＮｏｄｅＢ、ＮＢ）、ｅＮＢ（ｅＮｏｄｅＢ）、ｇＮＢ（ＮＲ  ＮｏｄｅＢ）などを含み得る。理解を容易にするために、本願の実施形態において、これらの基地局は、基地局と総称される。端末は具体的には、携帯電話、ユーザ機器、電子デバイス、モバイル端末、電子端末、ウェアラブルデバイス（スマートバンド、または、スマートウォッチなど）、コンソールなどを含み得る。理解を容易にするために、本願の実施形態において、これらの端末は、端末と総称される。
【００８６】
理解を容易にするために、ＮＲシステムは、本願におけるＣＡデプロイメントシナリオを含む通信システムを詳細に説明するための例として使用される。ＮＲシステムにおける利用可能な周波数帯域は、２つの周波数帯域に分割され得る。例えば、６ＧＨｚを基準として使用すると、周波数帯域は、６ＧＨｚより低い周波数帯域、および、６ＧＨｚより高い周波数帯域に分割される。６ＧＨｚより低い周波数帯域におけるキャリアは、低周波数キャリアと称され得て、６ＧＨｚより高い周波数帯域におけるキャリアは、高周波数キャリアと称され得る。６ＧＨｚのキャリアは、高周波数キャリアの範囲、または、低周波数キャリアの範囲に属し得る。本願の実施形態において、低周波数キャリアおよび高周波数キャリアは相対的な概念であり、別の基準に従う分割によって取得され得ることを理解すべきである。複数のビームが１つのキャリア上で構成され得て、複数のビームのカバレッジエリアは、キャリアのカバレッジエリア内に含まれる。言い換えれば、複数のビームのカバレッジエリアは、キャリアのカバレッジエリアのサブセットである。キャリアは高周波数キャリアまたは低周波数キャリアであり得る。
【００８７】
基地局および端末が低周波数キャリア上で互いに通信するとき、全方向式アンテナまたはビームフォーミングアンテナが通信に使用され得る。ビームフォーミングとは、指向性の電磁波を生成するように、アンテナのユニット間の相関が制御されることを意味する。基地局と端末との間のリンク送信の信号対雑音比を増加させるために、電磁波の方向は、端末から基地局への方向と可能な限り一致する。ビームは、自由空間において伝搬する指向性電磁波として理解され得る。例えば、ビームは基準信号ポートであり得て、異なる基準信号ポートは、異なる基準信号構成、すなわち、異なる指向性を有する基準信号を表す。加えて、ビームはまた、送信アンテナまたは受信アンテナが指向性電磁波を効果的に生成または受信できるような送信アンテナまたは受信アンテナの設定として理解され得る。例えば、ビームはアンテナポートであり得て、異なるアンテナポートは異なるアンテナ構成を有し、その結果、指向性電磁波を効果的に生成または受信できる。
【００８８】
基地局および端末が、高周波数キャリア上で構成されたビームを介して、高周波数キャリア上で互いに通信するとき、端末は、情報を基地局へ送信し得る、または、基地局によって送信された情報を受信し得る。同様に、高周波数キャリア上で構成されたビームを介して、基地局はまた、端末によって送信された情報を受信し得る、または、情報を端末へ送信し得る。具体的には、キャリア上で端末はビーム１〜ビーム３を使用し、基地局はビーム４〜ビーム６を使用すると想定する。端末がビーム１を使用することによって情報を基地局へ送信し、かつ、基地局がビーム４を使用することによって、端末によって送信された情報を受信する場合、ビーム１およびビーム４はビーム対と称され得る。ここでのビーム対は、情報の送信および受信のために２つの通信当事者によって使用されるビームの対であり得る。端末および基地局がそれぞれビーム１およびビーム４を使用することによって互いに通信するとき、ビーム１またはビーム４のリンクはビームリンクと称され得る。ここでのビームリンクは、通信のための単一ビームのリンクであり得て、ビーム対リンクは、２つの通信当事者間での情報の送信および受信に使用されるビーム対のリンクであり得る。基地局および端末がビームを使用することによって互いに通信するとき、基地局および端末は、ビームフォーミング技術をサポートする必要がある。ビームフォーミング技術は、基地局と端末との間のリンク送信の信号対雑音比を改善するために使用され得て、それにより、システム容量を増加させる。
【００８９】
図１は、本願の実施形態によるＣＡデプロイメントシナリオを含むＮＲシステムのシステムアーキテクチャの図である。ＮＲシステムにおける同一サイト・非同一カバレッジ＋ＲＲＨのＣＡデプロイメントシナリオが説明のための例として使用される。ＮＲシステムは、基地局１０１、端末１０２、およびＲＲＨ１０３を備える、複数のアンテナアレイが基地局１０１に配置され、いくつかのアンテナアレイが基地局１０１に直接デプロイされ、いくつかのアンテナアレイが、ＲＲＨ１０３を使用することによって、リモートでデプロイされる。図１において、例えば、ＣＡに参加するコンポーネントキャリアは、第１キャリアおよび第２キャリアを含む。第１キャリアのキャリア周波数は第２キャリアのキャリア周波数より低いと想定する。第１キャリアは、基地局１０１に直接デプロイされるアンテナアレイを使用することによって放射を実行し、第２キャリアは、リモートでデプロイされるアンテナアレイを使用することによって放射を実行する。第１キャリアに対応するサービングセルのカバレッジエリアは、Ａ１、Ａ２、Ａ３を含み得て、第２キャリアに対応するサービングセルのカバレッジエリアは、Ｂ１、Ｂ２、Ｂ３、Ｂ４、Ｂ５を含み得る。
【００９０】
端末１０２は、第１キャリアに対応するサービングセルにキャンプオンし得て、すなわち、図１におけるＡ１、Ａ２、またはＡ３に位置し得る。代替的に、端末１０２は、第２キャリアに対応するセルにキャンプオンし得て、すなわち、図１におけるＢ１、Ｂ２、Ｂ３、Ｂ４またはＢ５に位置し得る。基地局１０１および端末１０２は、第１キャリアで構成されるビームを使用することによって互いに通信し得る、または、第２キャリアで構成されるビームを使用することによって互いに通信し得る。具体的には、端末１０２が、第１キャリアに対応するセルにキャンプオンするとき、第１キャリア上のビームが、基地局１０１と端末１０２との間の制御チャネルおよびデータチャネルを搬送するために使用され得て、第２キャリア上のビームはまた、制御チャネルを搬送するために使用され得るが、第１キャリアのみが制御チャネルにおいて物理アップリンク制御チャネル（Ｐｈｙｓｉｃａｌ  Ｕｐｌｉｎｋ  Ｃｏｎｔｒｏｌ  Ｃｈａｎｎｅｌ，  ＰＵＣＣＨ）を搬送する。この場合、第２キャリアに対応するセルがアクティブ状態にある場合、第２キャリア上のビームがデータチャネルを搬送するのに使用され得る。または、第２キャリアに対応するセルが非アクティブ状態にある場合、第２キャリア上のビームはデータチャネルを搬送するために使用されることができない。言い換えれば、端末１０２が第１キャリアに対応するセルにキャンプオンするとき、第２キャリアに対応するセルがアクティブ状態にある場合、第１キャリア上のビームは、制御情報（この場合、アップリンク制御情報は、ＰＵＣＣＨ上で搬送される）、および、基地局１０１と端末１０２との間のデータ情報を送信するために使用され得て、第２キャリア上のビームはまた、制御情報（この場合、アップリンク制御情報は、ＰＵＣＣＨ以外のアップリンクチャネル上で搬送される）およびデータ情報を送信するために使用され得る。端末１０２が、第１キャリアに対応するサービングセルにキャンプオンするとき、第２キャリアに対応するセルが非アクティブ状態にある場合、第１キャリア上のビームは基地局１０１と端末１０２との間で制御情報およびデータ情報を送信するために使用され得て、第２キャリア上のビームは、データ情報を送信するために使用されない。
【００９１】
ＣＡデプロイメントシナリオを含むＮＲシステムの場合、ＣＡに参加するコンポーネントキャリアが高周波数キャリアを含むとき、基地局と端末との間のリンク送信の信号対雑音比を増加させ、システム容量を増加させるために、端末は、各高周波数キャリア上でビーム管理を実行する必要がある。ビーム管理とは、アップリンクおよびダウンリンクの受信／送信ビーム対を維持することを意味し得る。しかしながら、ＮＲシステムにおける高周波数キャリアの場合、端末の移動または回転、物体の遮蔽、通信中の周辺環境の変化などに起因して、基地局と端末との間の通信の品質は影響を受け、現在の通信におけるビームリンクを介した通信さえ中断される。したがって、通信遮断が基地局と端末との間のビーム対リンクで生じるとき、端末は、ダウンリンク通信障害復旧を実行する必要がある。
【００９２】
本願の実施形態において、ダウンリンク通信障害とは、サービングセルのダウンリンクチャネルの信号品質が十分に低いレベルに低下することを意味し得る。例えば、信号品質または信号強度は、特定の閾値より低い、または、信号品質もしくは信号強度は、一定期間にわたって、特定の閾値より低いままである。同様に、正常な通信とは、サービングセルにおいて通信障害が生じていないことを意味し得る。サービングセルのダウンリンクチャネルは、データチャネルを除くサービングセルのダウンリンクチャネルすべてであり得て、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，  ＰＤＣＣＨ）、チャネル状態情報基準信号（Ｃｈａｎｎｅｌ  Ｓｔａｔｉｏｎ  Ｉｎｆｏｒｍａｔｉｏｎ  Ｒｅｆｅｒｅｎｃｅ  Ｓｉｇｎａｌ，  ＣＳＩ−ＲＳ）、同期信号ブロック（Ｓｙｎｃｈｒｏｎｉｚａｔｉｏｎ  Ｓｉｇｎａｌ  Ｂｌｏｃｋ，  ＳＳ  Ｂｌｏｃｋ）を含み得る、または、いくつかのダウンリンクチャネルであり得る。サービングセルのダウンリンクチャネルの信号品質が十分に低いレベルに低下することは、ダウンリンクチャネルのすべての信号品質が十分に低いレベルに低下することを意味し得る、または、１または複数のダウンリンクチャネルの信号品質が十分に低いレベルに低下することを意味し得る。
【００９３】
本願の実施形態は、単一キャリア通信障害復旧に使用される無線通信方法を提供する。方法は、端末によってトリガおよび実行され得て、具体的には４フェーズ、すなわち、ビーム障害の検出、候補ビームの識別、通信障害復旧要求の送信、および、端末による、通信障害復旧要求に対する基地局の応答の検出を含み得る。具体的には、端末および基地局が単一キャリアを使用することによって互いに通信するとき、端末は、第１キャリアで搬送されるＣＳＩ−ＲＳ／ＳＳブロックでビーム障害検出を実行し得る。ビーム障害を検出したとき、端末は、候補ビームを識別するために、ＣＳＩ−ＲＳ／ＳＳブロックでビーム走査を実行し得る。端末は、第１キャリアで搬送されるＰＲＡＣＨ／ＰＵＣＣＨで通信障害復旧要求を送信する。端末は、第１キャリアで搬送されるＰＤＣＣＨで、通信障害復旧要求に対する基地局の応答を検出する。
【００９４】
例えば、端末が現在キャンプオンしているセルはサービングセルｃであり、サービングセルｃに対応するキャリアは第１キャリアである。ＮＲシステムにおいて、上述の通信障害復旧処理プロセスは図２に示され得る。第１キャリアにおいて、端末はビームａ１およびビームａ２を使用し、基地局はビームａ３〜ビームａ４を使用すると想定する。ビームａ１およびビームａ３は１つのビーム対であり、ビームａ２およびビームａ４は１つのビーム対である。端末はアップリンクチャネルを搬送するために、第１キャリアでビームａ１を使用し、アップリンクチャネルはＰＲＡＣＨ／ＰＵＣＣＨを含み得る。端末は、第１キャリアでビームａ２を使用することによってダウンリンクチャネルを検出し、ダウンリンクチャネルはＣＳＩ−ＲＳ／ＳＳブロックおよびＰＤＣＣＨを含み得る。
【００９５】
具体的には、端末および基地局が第１キャリアで互いに正常に通信するとき、端末は、第１キャリアでビームａ１を使用することによって基地局へアップリンク制御情報を送信し得て、端末は、ビームａ２を使用することによって、基地局によって送信されたダウンリンク制御情報を検出し得る。端末がＣＳＩ−ＲＳ／ＳＳブロックでダウンリンク通信障害を検出したとき、端末は、候補ビーム対リンクを識別するために、ＣＳＩ−ＲＳ／ＳＳブロックの第１キャリアに対してビーム走査を実行し得る（例えば、第１キャリアで、端末はビームｂ１およびビームｂ２を使用し、基地局はビームｂ３およびビームｂ４を使用し、ビームｂ１およびビームｂ３は１つのビーム対であり、ビームｂ２およびビームｂ４は１つのビーム対である）。次に、端末は、ビームａ１で搬送されるＰＲＡＣＨ／ＰＵＣＣＨで、基地局へ通信障害復旧要求を送信し得て、通信障害復旧要求は、候補ビーム情報（例えばビームｂ３およびビームｂ４）を含む。基地局が、端末によって送信された通信障害復旧要求を受信したとき、基地局は、候補ビーム情報からビームｂ３を選択し、ビームｂ３のビーム情報を搬送する通信障害復旧応答を端末へ送信し得る。端末は、ビームａ２で搬送されるＰＤＣＣＨで、通信障害復旧応答を検出し得る。端末は、通信障害復旧応答を検出したとき、通信障害復旧応答において搬送されるビームｂ３のビーム情報に基づいて、基地局がビームｂ３を使用して情報を送信することを決定し得る。したがって、端末は、同一のビーム対におけるビームｂ１を使用することによって、基地局によって送信された情報を受信する。端末が通信障害復旧応答を検出せず、検出がタイムアウトしていないと決定した場合、端末は、アップリンク送信電力を増加させ得る、または、別のアップリンクビームを使用することによって通信障害復旧要求を再開し得る。端末が通信障害復旧応答を検出せず、検出がタイムアウトしたと決定した場合、端末は、現在の通信障害復旧に障害が発生したと決定し得る。
【００９６】
図３は、本願の実施形態による無線通信方法の概略フローチャートである。方法は、端末および基地局を備える通信システムに適用される。基地局は、少なくとも２つのサービングセルを使用することによって、キャリアアグリゲーションＣＡサービスを端末に提供する。少なくとも２つのサービングセルは、第１サービングセルおよび第２サービングセルを含む。図３を参照すると、方法は以下の段階を備える。
【００９７】
段階３０１：ダウンリンク通信障害が第１サービングセルにおいて生じたことを端末が検出したとき、端末は、第２サービングセルのダウンリンク通信が正常であると決定する。
【００９８】
ＣＡに参加するコンポーネントキャリアは、複数のキャリアを含み得る。例えば、複数のキャリアは、第１キャリアおよび第２キャリアを含み、第１キャリアに対応するサービングセルは、第１サービングセルと称され、第２キャリアに対応するサービングセルは、第２サービングセルと称される。第１サービングセルは、ダウンリンク通信障害が生じる少なくとも２つのサービングセルのうちいずれか１つであり得て、第２サービングセルは、正常な通信の少なくとも２つのサービングセルのうちいずれか１つであり得る。本願の本実施形態において、サービングセル、および、サービングセルに対応するキャリアの概念は、相互交換可能であり得る。例えば、第１サービングセルに対応するキャリアが第１キャリアであるとき、以降で現れる第１サービングセルは、第１キャリアで置き換えられ得て、第１キャリアはまた、第１サービングセルで置き換えられ得る。
【００９９】
加えて、ダウンリンク通信障害が第１サービングセルにおいて生じることはまた、ダウンリンク通信障害が第１キャリアで生じることとして理解され得る。ダウンリンク通信障害の概念は、第１サービングセルのダウンリンクチャネルの信号品質が十分に低いレベルに低下することを意味し得る。具体的には、第１サービングセルのすべてのダウンリンクチャネルの信号品質が十分に低いレベルに低下したことを端末が検出したとき、端末は、ダウンリンク通信障害が第１サービングセルにおいて生じると決定し得る。
【０１００】
具体的には、第１サービングセルにおいてダウンリンク通信障害が生じたことを端末が検出したとき、端末は、少なくとも２つのサービングセルから、正常な通信の第２サービングセルが存在するかどうかを決定し得る。正常な通信の複数のサービングセルがある場合、端末は、正常な通信のサービングセルから任意のサービングセルを第２サービングセルとして選択し得る、または、正常な通信のサービングセルから、特定条件を満たすサービングセルを第２サービングセルとして選択し得る。第２サービングセルが満たす特定条件は、以下の条件、すなわち、第２サービングセルがＰＵＣＣＨを搬送すること、第２サービングセルのインデックスが最小であること、第２サービングセルに対応するキャリア周波数が最低であること、第２サービングセルのダウンリンクチャネルの品質が最良であることのいずれか１つであり得る。代替的に、特定条件は、第２キャリアがＰＵＣＣＨを搬送すること、第２キャリアに対応する第２サービングセルのインデックスが最小であること、第２キャリアのキャリア周波数が最低であること、第２キャリアのダウンリンクチャネルの品質が最良であることとして理解され得る。
【０１０１】
例えば、第２サービングセルがＰＵＣＣＨを搬送する特定条件については、ダウンリンク通信障害復旧機構において、ＰＵＣＣＨは、通信障害復旧要求を搬送するために使用され得る。したがって、ＰＵＣＣＨを搬送する第２サービングセルが選択され、その結果、通信障害復旧要求は、ＰＵＣＣＨで直接搬送され得る。これにより、第１サービングセルの通信障害復旧効率を改善できる。
【０１０２】
第２サービングセルのセルインデックスが最小であるという特定条件については、一般的に、インデックスが最小であるサービングセルが、端末が現在キャンプオンしているサービングセルである。サービングセルは、制御チャネル（例えば、ＰＲＡＣＨ／ＰＵＣＣＨ）を搬送し、制御チャネルは、通信障害復旧要求を搬送するために直接使用され得る。これにより、第１サービングセルの通信障害復旧効率を改善できる。
【０１０３】
第２サービングセルに対応するキャリア周波数が最低であるという特定条件については、より低いキャリア周波数は、より大きいカバレッジエリアに対応し、結果として、より高い情報送信安定性につながる。したがって、第１サービングセルの通信障害から復旧するために最低のキャリア周波数を有する第２サービングセルを選択することにより、通信障害復旧成功率を増加させることができる。
【０１０４】
第２サービングセルのダウンリンクチャネルの品質が最良であるという特定条件については、より良いダウンリンクチャネルの品質は、より高い送信安定性および信頼性を示す。したがって、第１サービングセルの通信障害から復旧するために最良のダウンリンクチャネルの品質を有する第２サービングセルを選択することにより、通信障害復旧成功率を増加させることができる。
【０１０５】
少なくとも２つのサービングセルが３以上のサービングセルを含むとき、正常な通信の少なくとも２つのサービングセルの各々は、第２サービングセルと称され得ることに留意すべきである。言い換えれば、少なくとも２つのサービングセルは、複数の第２サービングセルを含み得て、したがって、特定条件を満たす第２サービングセルは、複数の第２サービングセルから選択される第２サービングセルであり得る。
【０１０６】
段階３０２：端末は、第２サービングセルのアップリンクチャネルで通信障害復旧要求を送信し、通信障害復旧要求は、第１サービングセルのダウンリンク通信障害からの復旧を要求するために使用される。
【０１０７】
端末が第２サービングセルのアップリンクチャネルで通信障害復旧要求を送信するとき、基地局は、第２サービングセルのダウンリンクチャネルで通信障害復旧要求を受信し得て、通信障害復旧要求が第１サービングセルのダウンリンク通信障害からの復旧を要求するために使用されると決定し得る。
【０１０８】
アップリンクチャネルは、制御情報を搬送するために使用される物理アップリンク制御チャネル（ＰＵＣＣＨ）、物理ランダムアクセスチャネル（ＰＲＡＣＨ）、または物理アップリンク共有チャネル（ＰＵＳＣＨ）を含み得る。本願の本実施形態において、端末は、上述のアップリンクチャネルのいずれか１つに通信障害復旧要求を追加し得る。具体的には、端末は、上述のアップリンクチャネルのいずれか１つで、通信障害復旧要求を基地局へ送信し得て、基地局は、対応するアップリンクチャネルで通信障害復旧要求を受信し得る。
【０１０９】
加えて、端末が第２サービングセルのアップリンクチャネルで基地局へ通信障害復旧要求を送信するとき、端末は、第２サービングセルにおいて搬送される制御チャネルを決定し得る。第２サービングセルがＰＲＡＣＨ／ＰＵＣＣＨを搬送する場合、端末は、第２サービングセルのＰＲＡＣＨ／ＰＵＣＣＨで基地局へ通信障害復旧要求を送信し得る。この場合、基地局は、ＰＲＡＣＨ／ＰＵＣＣＨを使用することによって、通信障害復旧要求を受信し得る。第２サービングセルがＰＵＣＣＨを搬送する場合、端末は、第２サービングセルのＰＵＣＣＨで、基地局へ通信障害復旧要求を送信し得る。この場合、基地局は、ＰＵＣＣＨで通信障害復旧要求を受信し得る。
【０１１０】
具体的には、第２サービングセルがＰＲＡＣＨ、ＰＵＣＣＨおよびＰＵＳＣＨを搬送する場合、端末は優先的に、通信障害復旧要求を基地局へ送信するためにＰＵＳＣＨを選択し得て、基地局は、ＰＵＳＣＨで通信障害復旧要求を受信する。第２サービングセルがＰＲＡＣＨおよびＰＵＣＣＨの両方を搬送する場合、端末は優先的に、通信障害復旧要求を基地局へ送信するためにＰＵＣＣＨを選択し得て、基地局は、ＰＵＣＣＨで通信障害復旧要求を受信し得る。実際の適用において、第２サービングセルが２つ以上のアップリンクチャネルを搬送するとき、端末は、別の方式で、通信障害復旧要求が基地局へ送信されるチャネルを選択し得る。このことは、本願の本実施形態において具体的に限定されない。
【０１１１】
更に、通信障害復旧要求は、第１サービングセルのインデックス、および、第１サービングセルの候補基準信号リソース指示を含み得る。候補基準信号リソース指示は、候補基準信号ポートを示すために使用される。理解を容易にするために、候補基準信号リソース指示は以降、候補ビーム情報と称される。候補ビーム情報は、第２サービングセルのダウンリンクビーム情報であり得る。第１サービングセルの候補基準信号リソース指示は、第１サービングセルの通信障害から復旧させるべく、第２サービングセルのダウンリンクビーム情報が第１サービングセルのダウンリンクビーム情報として使用されることであり得る。
【０１１２】
具体的には、第１サービングセルのインデックスはまた、第１キャリアのインデックスであり得て、通信障害復旧要求は、第１キャリアのインデックスおよび候補ビーム情報を含み得る。候補ビーム情報は、第２キャリアに含まれるビーム情報であり、ビーム情報は、複数のビームについての情報であり得る。具体的には、通信障害復旧要求を搬送する方式が、第２サービングセルにおいて通信障害復旧要求を搬送するために使用される異なるアップリンクチャネルに基づいて詳細に説明される。
【０１１３】
方式１：端末がＰＵＣＣＨで通信障害復旧要求を送信するとき、通信障害復旧要求は、以下の方式で搬送され得る。
【０１１４】
（ａ１）通信障害復旧要求は、変調および符号化スキームを使用することによって搬送される。ここで、変調および符号化スキームは、符号分割多重化（Ｃｏｄｅ  Ｄｉｖｉｓｉｏｎ  Ｍｕｌｔｉｐｌｅｘｉｎｇ，  ＣＤＭ）、時分割多重化（Ｔｉｍｅ  Ｄｉｖｉｓｉｏｎ  Ｍｕｌｔｉｐｌｅｘｉｎｇ，  ＴＤＭ）および周波数分割多重化（Ｆｒｅｑｕｅｎｃｙ  Ｄｉｖｉｓｉｏｎ  Ｍｕｌｔｉｐｌｅｘｉｎｇ，  ＦＤＭ）を含み得る。通信障害復旧要求を搬送するために使用される具体的な符号化および変調スキームは予め設定され得る。
【０１１５】
具体的には、通信障害復旧要求がＣＤＭ方式で搬送されることは、端末がＰＵＣＣＨを使用して通信障害復旧要求を搬送するとき、端末は、直交配列符号を使用して通信障害復旧要求を変調し、ＰＵＣＣＨで通信障害復旧要求を送信することを意味する。同様に、基地局がＰＵＣＣＨを受信するとき、基地局は、通信障害復旧要求を取得するために、同一の直交配列符号を使用してＰＵＣＣＨを復調する。通信障害復旧要求がＴＤＭ方式で搬送されることは、端末がＰＵＣＣＨを使用して通信障害復旧要求を搬送するとき、端末は指定された時間領域リソース上のＰＵＣＣＨで通信障害復旧要求を送信することを意味する。同様に、基地局は、同一の時間領域リソースで、通信障害復旧要求を受信する。通信障害復旧要求がＦＤＭ方式で搬送されることは、端末がＰＵＣＣＨを使用して通信障害復旧要求を搬送するとき、端末は、指定された周波数領域リソース上のＰＵＣＣＨで通信障害復旧要求を送信することを意味する。同様に、基地局は、同一の周波数領域リソースで通信障害復旧要求を受信する。
【０１１６】
（ａ２）通信障害復旧要求は、特定のシーケンスを使用することによって搬送され、ここで、特定のシーケンスは、予約シーケンスであり得て、予約シーケンスは、使用のために現在構成されていないシーケンスである。
【０１１７】
理解を容易にするために、ＰＵＣＣＨは、１０個のバイナリビットを占有し、最初の３個のバイナリビットは予約リソースであり、第４バイナリビットは指示ビットであると想定する。指示ビットが１に設定されているとき、基地局が予約リソースを解析することが示される。３個のバイナリビットに対応するシーケンスは、０００、００１、０１０、０１１、１００、１０１、１１０および１１１を含み得て、使用のために現在構成されているシーケンスは、０００〜１１０を含み、１１１は予約シーケンスである。端末は、予約シーケンス１１１を構成し得る。具体的には、ＰＵＣＣＨにおける指示シーケンスが１１１に構成されるとき、ＰＵＣＣＨは通信障害復旧要求を搬送することが示される。同様に、基地局がＰＵＣＣＨを受信したとき、第４ビットが１に設定されている場合、基地局は、最初の３個のバイナリビットを解析する。最初の３個のバイナリビットに対応するシーケンスが１１１であるとき、ＰＵＣＣＨは通信障害復旧要求を搬送することが決定され得る。
【０１１８】
（ａ３）ビットが追加される。通信障害復旧要求は、追加ビットを使用することによって搬送される。具体的には、ＰＵＣＣＨによって占有されるビットが追加され、通信障害復旧要求は、追加ビットにおいて搬送される。同様に、基地局がＰＵＣＣＨを受信するとき、基地局は、追加ビットから通信障害復旧要求を取得し得る。
【０１１９】
方式２：端末がＰＲＡＣＨで通信障害復旧要求を送信するとき、通信障害復旧要求は、以下の方式で搬送され得る。
【０１２０】
（ｂ１）通信障害復旧要求は、変調および符号化スキームを使用することによって搬送され、変調および符号化スキームは、ＣＤＭ、ＴＤＭ、ＦＤＭを含み得る。変調および符号化スキームを使用することによってＰＲＡＣＨで通信障害復旧要求を搬送する方式は、ＰＵＣＣＨの上述の方式と同様である。詳細については、前述の説明を参照されたい。本願において、ここでは詳細を再度説明しない。
【０１２１】
（ｂ２）通信障害復旧要求は、特定のプリアンブルシーケンスを使用することによって搬送され、ここで、特定のプリアンブルシーケンスは、予約プリアンブルシーケンスであり得て、予約プリアンブルシーケンスは、使用のために現在構成されていないシーケンスである。特定のプリアンブルシーケンスを使用することによってＰＲＡＣＨで通信障害復旧要求を搬送する方式は、ＰＵＣＣＨの上述の方式と同様である。詳細については、前述の説明を参照されたい。本願において、ここでは詳細を再度説明しない。
【０１２２】
方式３：端末がＰＵＳＣＨで通信障害復旧要求を送信するとき、通信障害復旧要求は、以下の方式で搬送され得る。
【０１２３】
端末は、媒体アクセス制御（Ｍｅｄｉａ  Ａｃｃｅｓｓ  Ｃｏｎｔｒｏｌ，  ＭＡＣ）層および物理層を含み得て、端末は、ＭＡＣ層で、通信障害復旧要求をＭＡＣ制御要素（ＭＡＣ  Ｃｏｎｔｒｏｌ  Ｅｌｅｍｅｎｔ，  ＭＡＣ−ＣＥ）に追加し得る。通信障害復旧要求を搬送するために使用されるＭＡＣ−ＣＥは、ＭＡＣ要求指示および通信障害復旧要求を含み得る。ＭＡＣ要求指示はまた、現在のＭＡＣ‐ＣＥのヘッダ（Ｈｅａｄｅｒ）と称され得て、現在のＭＡＣ‐ＣＥにおけるペイロードが通信障害復旧要求であることを示すために使用される。
【０１２４】
具体的には、端末は、基地局へ送信されるペイロードに通信障害復旧要求を追加し得る。図４に示されるように、端末は、現在スケジューリングされているペイロード、および、通信障害復旧要求（例えば、第１キャリアのインデックスおよび候補ビーム情報）をＭＡＣ層でパケット化し得る。例えば、通信障害復旧要求は、スケジューリングされているペイロードの後に配置される、または、スケジューリングされているペイロードの前に配置され得る、または、スケジューリングされているペイロードが存在しないとき、通信障害復旧要求のみがパケット化される。スケジューリングされているペイロードは、ＰＵＳＣＨで現在スケジューリングされているペイロードである。ＭＡＣ層でパケット化された後に端末によって取得されるペイロードは、４０１＋４０２＋４０３＋４０４であり得て、４０１は、現在スケジューリングされているペイロードのＭＡＣヘッダを表し、４０２は、現在スケジューリングされているペイロードを表し、４０３は、通信障害復旧要求のヘッダを表し、４０３におけるヘッダは、４０４におけるペイロードが通信障害復旧要求であることを示すために使用される。次に、端末が物理層のＰＵＳＣＨで、パケット化を通じて取得されたデータパケットを基地局へ送信する。同様に、パケット化を通じて取得されたデータパケットを基地局が受信したとき、基地局は、物理層でデータパケットを復号し、ＭＡＣ層で、復号されたデータパケットを逆パケット化し、通信障害復旧要求を取得し得る。
【０１２５】
例えば、通信障害復旧要求を搬送するためのチャネルを端末によって選択する手順が図５に示され得る。端末はまず、ＰＵＳＣＨを使用することによって通信障害復旧要求（ＲＥＱ）が搬送されるかどうかを決定する。搬送される場合、端末は、ＰＵＳＣＨを搬送するコンポーネントキャリアから正常な通信の最適なＣＣを選択し、端末の物理層からＭＡＣ層へ通信障害復旧要求を送信し、ＭＡＣ層で通信障害復旧要求をパケット化し、次に、選択されたＣＣのＰＵＳＣＨに通信障害復旧要求を追加する。搬送されない場合（すなわち、通信障害復旧要求がＰＵＳＣＨによって搬送されないと端末が決定した場合）、端末は、正常な通信の最適なコンポーネントキャリアを選択し、選択されたコンポーネントキャリアにＰＵＣＣＨが存在するかどうかを決定する。ＰＵＣＣＨが存在する場合、端末は、通信障害復旧要求をＰＵＣＣＨに追加する。または、ＰＵＣＣＨが存在しない場合、端末は、通信障害復旧要求をＰＲＡＣＨに追加する。次に、端末は通信障害復旧要求を基地局へ送信する。
【０１２６】
代替的に、第２サービングセルのＰＵＳＣＨで端末によって基地局へ送信されたデータパケットは、通信障害復旧要求の指示情報を含み、指示情報は、端末によって送信されたデータパケットが通信障害復旧要求を含むことを示すために使用される。同様に、第２サービングセルのＰＵＳＣＨで端末によって送信されて基地局によって受信されたデータパケットが指示情報を含むとき、基地局は、データパケットが通信障害復旧要求を含むと決定し得る。
【０１２７】
段階３０３：端末は、第２サービングセルのダウンリンクチャネルで、基地局によって送信された通信障害復旧応答を検出し、通信障害復旧応答は、第１サービングセルのダウンリンク通信リソースを示すために使用される。
【０１２８】
基地局が第２サービングセルのダウンリンクチャネルで通信障害復旧要求を受信するとき、基地局は、通信障害復旧要求に基づいて通信障害復旧応答を生成し、第２サービングセルのダウンリンクチャネルで端末へ通信障害復旧応答を送信し得て、その結果、端末は、第２サービングセルのダウンリンクチャネルで通信障害復旧応答を検出し得る。
【０１２９】
ダウンリンクチャネルは、制御情報を搬送するために使用される物理ダウンリンク制御チャネル（ＰＤＣＣＨ）、および、データ情報を搬送するために使用される物理ダウンリンク共有チャネル（ＰＤＳＣＨ）を含み得る。本願の本実施形態において、端末は、上述のダウンリンクチャネルのいずれか１つで通信障害復旧応答を検出し得る。
【０１３０】
加えて、通信障害復旧応答は、第１サービングセルのダウンリンク通信リソースを示すために使用される。ダウンリンク通信リソースは、第１サービングセルの標的基準信号リソース指示であり得て、標的基準信号リソース指示は、基地局によって選択される基準信号リソース指示であり、標的基準信号リソース指示は、基準信号ポートを示すために使用される。
【０１３１】
具体的には、基地局が、端末によって送信された通信障害要求を受信したとき、基地局は、通信障害復旧応答を生成し、通信障害復旧応答を端末へ送信し得る。第２サービングセルがＰＣＣＨを搬送する場合、基地局が通信障害復旧応答を生成した後に、基地局は、ＰＤＣＣＨで通信障害復旧応答を送信し得る。同様に、端末がＰＤＣＣＨで、基地局によって送信された通信障害復旧応答を検出する。第２サービングセルがＰＤＳＣＨを搬送する場合、基地局が通信障害復旧応答を生成した後に、基地局は、ＰＤＳＣＨで通信障害復旧応答を送信し得る。同様に、端末がＰＤＳＣＨで、基地局によって送信された通信障害復旧応答を検出する。第２サービングセルがＰＤＣＣＨおよびＰＤＳＣＨの両方を搬送する場合、基地局が通信障害復旧応答を生成した後に、基地局は、ＰＤＳＣＨで通信障害復旧応答を優先的に送信し得る。同様に、端末がＰＤＳＣＨで、基地局によって送信された通信障害復旧応答を検出する。
【０１３２】
更に、通信障害復旧応答は、第１サービングセルのインデックス、および、第１サービングセルの標的基準信号リソース指示を含み得る。標的基準信号リソース指示は、基地局によって選択される基準信号リソース指示であり、標的基準信号リソース指示は、基準信号ポートを示すために使用される。理解を容易にするために、標的基準信号リソース指示は以降、ダウンリンクビーム情報と称される。
【０１３３】
具体的には、第１サービングセルのインデックスはまた、第１キャリアのインデックスであり得て、通信障害復旧応答は、第１キャリアのインデックスおよびダウンリンクビーム情報を含み得る。ダウンリンクビーム情報は、通信障害復旧要求に含まれる候補ビーム情報から、基地局によって選択されるダウンリンクビーム情報であり、ダウンリンクビームを示すために使用される。例えば、ダウンリンクビーム情報はビーム番号であり得る。具体的には、通信障害復旧応答を搬送する方式が、第２サービングセルにおいて通信障害復旧応答を搬送するために使用される異なるダウンリンクチャネルに基づいて詳細に説明される。
【０１３４】
方式１：端末がＰＤＣＣＨで、基地局によって送信された通信障害復旧応答を検出したとき、通信障害復旧応答は、以下の方式で搬送され得る。
【０１３５】
（ｃ１）通信障害復旧応答は、変調および符号化スキームを使用することによって搬送され、変調および符号化スキームは、ＣＤＭ、ＴＤＭ、ＦＤＭを含み得る。変調および符号化スキームを使用することによってＰＤＣＣＨで通信障害復旧応答を搬送する方式は、ＰＵＣＣＨで通信障害復旧要求を搬送する方式と同様である。詳細については、前述の説明を参照されたい。本願において、ここでは詳細を再度説明しない。
【０１３６】
（ｃ２）通信障害復旧応答は、特定のシーケンスを使用することによって搬送され、ここで、特定のシーケンスは、予約シーケンスであり得て、予約シーケンスは、使用のために現在構成されていないシーケンスである。
【０１３７】
理解を容易にするために、ＰＤＣＣＨが１０個のバイナリビットを占有し、最初の３個のバイナリビットは予約リソースであると想定する。３個のバイナリビットに対応するシーケンスは、０００、００１、０１０、０１１、１００、１０１、１１０および１１１を含み得て、使用のために現在構成されているシーケンスは、０００〜１１０を含み、１１１は予約シーケンスである。予約シーケンス１１１は構成され得る。具体的には、ＰＤＣＣＨにおける指示シーケンスが１１１に構成されるとき、ＰＤＣＣＨは通信障害復旧応答を搬送することが示される。同様に、端末がキャリアを跨いでＰＤＣＣＨを受信したとき、端末は、ＰＤＣＣＨの予約リソースを解析し得る。予約リソースにおける対応するシーケンスが１１１である場合、端末は、ＰＤＣＣＨが通信障害復旧応答を搬送すると決定し得る。
【０１３８】
（ｃ３）ビットが追加される。通信障害復旧応答は、追加ビットを使用することによって搬送される。具体的には、ＰＤＣＣＨによって占有されるビットが追加され、通信障害復旧応答は、追加ビットにおいて搬送される。同様に、端末がＰＤＣＣＨを検出したとき、端末は、通信障害復旧応答を追加ビットから取得し得る。
【０１３９】
方式２：端末がＰＤＳＣＨで、基地局によって送信された通信障害復旧応答を検出したとき、通信障害復旧応答は、以下の方式で搬送され得る。
【０１４０】
基地局はＭＡＣ層および物理層を含み得て、基地局はＭＡＣ−ＣＥを使用して通信障害復旧応答を搬送し得る。通信障害復旧応答を搬送するために使用されるＭＡＣ−ＣＥは、ＭＡＣ応答指示および通信障害復旧応答を含み得る。ＭＡＣ応答指示はまた、現在のＭＡＣ‐ＣＥのヘッダ（Ｈｅａｄｅｒ）と称され得て、現在のＭＡＣ‐ＣＥにおけるペイロードが通信障害復旧応答であることを示すために使用される。
【０１４１】
具体的には、基地局は、端末へ送信されるペイロードに通信障害復旧応答を追加し得る。図６に示されるように、基地局は、ＭＡＣ層で、現在スケジューリングされているペイロードおよび通信障害復旧応答（例えば、第１キャリアのインデックスおよびダウンリンクビーム情報）をパケット化し得る。例えば、通信障害復旧応答は、ペイロードの後に配置される、または、ペイロードの前に配置され得る。代替的に、ペイロードが存在しないとき、通信障害復旧応答のみがパケット化される。スケジューリングされているペイロードは、ＰＤＳＣＨで現在スケジューリングされているペイロードである。ＭＡＣ層でパケット化された後に基地局によって取得されるペイロードは、６０１＋６０２＋６０３＋６０４であり得て、６０１は、現在スケジューリングされているペイロードのＭＡＣヘッダを表し、６０２は、現在スケジューリングされているペイロードを表し、６０３は、通信障害復旧応答のヘッダを表し、６０３におけるヘッダは、６０４におけるペイロードが通信障害復旧応答であることを示すために使用される。次に、基地局は、パケット化を通じて取得されたデータパケットを、物理層のＰＤＳＣＨで端末へ送信する。同様に、端末が、パケット化を通じて取得されたデータパケットをＰＤＳＣＨで検出したとき、端末は、物理層でデータパケットを復号し得て、復号されたデータパケットをＭＡＣ層で逆パケット化して通信障害復旧応答を取得し得る。更に、端末は、通信障害復旧応答に含まれるダウンリンクビーム情報に基づいて、対応するダウンリンクビームを決定し得て、基地局がダウンリンクビームを使用することによって情報を送信することを決定し、それにより、高速通信障害復旧を実装する。
【０１４２】
例えば、通信障害復旧応答を検出するために端末がチャネルを選択するための手順が図７に示され得る。端末はまず、ＰＤＳＣＨで通信障害復旧応答（ＲＳＰ）を検出するかどうかを決定する。検出する場合、端末は、コンポーネントキャリアから、正常な通信の最適なＣＣを選択し、次に、ＰＤＳＣＨで、通信障害復旧応答を検出する。検出しない場合（すなわち、端末が、ＰＤＳＣＨで通信障害復旧応答を検出しないと決定する場合）、端末は、ＰＤＣＣＨを搬送する正常な通信の最適なＣＣが存在するかどうかを決定する。最適なＣＣが存在する場合、端末は、ＰＤＣＣＨで通信障害復旧応答を検出する。最適なＣＣが存在しない場合、端末は、障害のあるキャリアのＰＤＣＣＨで通信障害復旧応答を検出する（具体的なプロセスについては、段階３０４から段階３０６を参照されたい）。
【０１４３】
代替的に、第２サービングセルのＰＤＣＣＨで基地局によって端末へ送信されるデータパケットは、通信障害復旧応答の指示情報を含む。指示情報は、基地局によって送信されるデータパケットが、通信障害復旧応答を含むことを示すために使用される。同様に、第２サービングセルのＰＤＣＣＨで基地局によって送信されたデータパケットを端末が検出したとき、端末は、データパケットに含まれる通信障害復旧応答の指示情報に基づいて、データパケットが通信障害復旧応答を含むと決定する。
【０１４４】
更に、理解を容易にするために、本願において、ビーム障害復旧手順を説明するために、基地局が２つのサービングセルを使用することによってキャリアアグリゲーションサービスを端末に提供する例がここで使用される。２つのサービングセルはサービングセルＸおよびサービングセルＹであると想定し、サービングセルＸに対応するコンポーネントキャリアが第１キャリアであり、サービングセルＹに対応するコンポーネントキャリアが第２キャリアであると想定する。第１キャリアの場合、端末は、ビームａ１およびビームａ２を使用し、基地局は、ビームａ３およびビームａ４を使用する。ビームａ１およびビームａ３は１つのビーム対であり、ビームａ２およびビームａ４は１つのビーム対である（端末はビームａ１を使用してＰＲＡＣＨ／ＰＵＣＣＨを搬送し、端末はビームａ２を使用してＣＳＩ−ＲＳ／ＳＳブロックおよびＰＤＣＣＨを搬送すると想定する）。第２キャリアの場合、端末は、ビームｃ１およびビームｃ２を使用し、基地局は、ビームｃ３およびビームｃ４を使用する。ビームｃ１およびビームｃ３は１つのビーム対であり、ビームｃ２およびビームｃ４は１つのビーム対である（端末はビームｃ１を使用してＰＲＡＣＨ／ＰＵＣＣＨおよびＰＵＳＣＨを搬送し、端末はビームｃ２を使用してＣＳＩ−ＲＳ／ＳＳブロック、ＰＤＣＣＨ、ＰＤＳＣＨを搬送すると想定する）。
【０１４５】
具体的には、端末が、ビームａ２で搬送されるＣＳＩ−ＲＳ／ＳＳブロックで、ビーム障害が第１サービングセルにおいて生じていることを検出したとき、第２サービングセルが正常な通信であると端末が決定した場合、端末は、第２キャリアで構成された複数のダウンリンクビーム（例えば、ビームｂ３およびビームｂ４）についての情報を候補ビーム情報として使用し、第２サービングセルのアップリンクチャネル（例えば、ビームｃ１で搬送されるＰＲＡＣＨ／ＰＵＣＣＨまたはＰＵＳＣＨ）で通信障害復旧要求を送信し、ここで、通信障害復旧要求は、第１キャリアのインデックス、および、ビームｃ３およびビームｃ４についての情報を含む。基地局が、端末によって送信された通信障害復旧要求を受信したとき、基地局は、基地局が通信障害復旧応答を送信するダウンリンクビームとしてビームｃ３を選択し得て、通信障害復旧応答を使用することによって、ビーム３についての情報を端末へ送信し得る。端末が、第２サービングセルのダウンリンクチャネル（例えば、ビームｃ２で搬送されるＰＤＣＣＨまたはＰＤＳＣＨ）で通信障害復旧応答を検出したとき、端末は、基地局がビームｃ３を使用して情報を送信し、更に、同一のビーム対におけるビームｃ１を使用して、基地局によって送信された情報を受信することを決定し得る。
【０１４６】
本願の本実施形態において、ダウンリンク通信障害が第１サービングセルにおいて生じたことを端末が検出したとき、端末は、第２サービングセルのダウンリンク通信が正常であると決定し、第２サービングセルのアップリンクチャネルで第１サービングセルの通信障害復旧要求を送信し、候補ビーム情報を取得するために第１サービングセルに対応するキャリアでビーム走査を実行することなく、第２サービングセルのダウンリンクチャネルで通信障害復旧応答を検出する。これにより、ビーム走査時間が節約される。加えて、第２サービングセルは、正常な通信のサービングセルであり、通信障害復旧要求は、第２サービングセルのアップリンクチャネルで送信され、通信障害復旧応答は、第２サービングセルのダウンリンクチャネルで検出される。これにより、通信障害があるサービングセルに対して通信障害復旧を直接実行する場合と比較して、通信障害復旧成功率を増加させることができ、更に、高速通信障害復旧を実装できる。
【０１４７】
更に、図８を参照すると、少なくとも２つのサービングセルすべてのダウンリンク通信に障害が発生したことを端末が検出したとき、端末は、少なくとも２つのサービングセルのうち、より良いサービングセルを使用することによって、第１サービングセルのダウンリンク通信障害からの復旧を実行し得る。詳細を以下に説明する。
【０１４８】
段階３０４：少なくとも２つのサービングセルのすべてのダウンリンク通信で障害が発生したことを端末が検出したとき、端末は、第２サービングセルが特定条件を満たすと決定し、ここで、特定条件は、第２サービングセルのインデックスが最小であること、第２サービングセルのダウンリンクチャネルのチャネル品質が最良であること、および、第２サービングセルに対応するキャリア周波数が最低であることのうち少なくとも１つを含む。
【０１４９】
具体的には、少なくとも２つのサービングセルにおいて、正常な通信のサービングセルが無いとき、すなわち、少なくとも２つのサービングセルのすべてのダウンリンク通信において障害が発生したと端末が決定したとき、端末は、通信障害がある少なくとも２つのサービングセルから、より良いサービングセルを選択し得る。ここで、第２サービングセルは、より良いサービングセルであると想定する。例えば、少なくとも２つのサービングセルにおいて、第２サービングセルのインデックスが最小である、第２サービングセルに対応するキャリア周波数が最低である、または、第２サービングセルのダウンリンクチャネルの品質が、少なくとも２つのサービングセルにおいて最良である。実際の適用において、第２サービングセルは、通信障害復旧効率を改善するために別の方式において選択されるサービングセルであり得る。このことは、本願の本実施形態において具体的に限定されない。
【０１５０】
少なくとも２つのサービングセルが３以上のサービングセルを含むとき、第１サービングセルを除く少なくとも２つのサービングセルの各々は、第２サービングセルと称され得ることに留意すべきである。言い換えれば、少なくとも２つのサービングセルは、複数の第２サービングセルを含み得て、したがって、特定条件を満たす第２サービングセルは、複数の第２サービングセルから選択される第２サービングセルであり得る。
【０１５１】
段階３０５：端末は、第２サービングセルのアップリンクチャネルで、基地局へ通信障害復旧要求を送信する。
【０１５２】
段階３０６：端末は、基地局によって送信された通信障害復旧応答を、第２サービングセルのダウンリンクチャネルで検出する。
【０１５３】
第２サービングセルのアップリンクチャネルで端末によって基地局へ通信障害復旧要求を送信するプロセスは、段階３０２において、第２サービングセルのアップリンクチャネルで、基地局へ通信障害復旧要求を送信するプロセスと一致し、第２サービングセルのダウンリンクチャネルで、基地局によって送信された通信障害復旧応答を端末によって検出するプロセスも、段階３０３において、第２サービングセルのダウンリンクチャネルで、基地局によって送信された通信障害復旧応答を端末によって検出するプロセスと一致することに留意すべきである。詳細については段階３０２および段階３０３における説明を参照されたい。本願の本実施形態において、ここでは詳細を再度説明しない。
【０１５４】
本願の本実施形態において、第１サービングセルを使用することによって、通信障害復旧手順を直接搬送する場合と比較して、少なくとも２つのサービングセルすべてが通信障害を有するとき、端末は、通信障害復旧手順を搬送するために、より良い第２サービングセルを選択する。また、これにより、通信障害復旧成功率をある程度増加させることができ、復旧効率を更に改善させることができる。
【０１５５】
更に、端末が通信障害復旧要求を送信する前に、基地局は更に、通信障害復旧要求が送信されるアップリンクチャネルを構成し得る。これは具体的には、基地局が通信障害復旧要求構成情報を端末へ送信し、障害復旧要求構成情報は、通信障害復旧要求が送信されるアップリンクチャネルを示すために使用される、アップリンクチャネルは、以下のチャネル、すなわち、物理アップリンク制御チャネル、物理ランダムアクセスチャネル、物理アップリンク共有チャネルのうち１つであることを含み得る。同様に、端末は、障害復旧要求構成情報を基地局から受信する。したがって、端末が通信障害復旧要求を送信するとき、端末は、障害復旧要求構成情報に基づいて、対応するアップリンクチャネルで通信障害復旧要求を送信し得る。
【０１５６】
更に、端末が通信障害復旧応答を検出する前に、基地局は更に、通信障害復旧応答が検出されるダウンリンクチャネルを構成し得て、これは具体的には、基地局が、通信障害復旧応答構成情報を端末へ送信し、障害復旧応答構成情報は、通信障害復旧応答が検出されるダウンリンクチャネルを示すために使用され、ダウンリンクチャネルは、以下のチャネル、すなわち、物理ダウンリンク制御チャネルおよび物理ダウンリンク共有チャネルのうち１つであることを含み得る。同様に、端末は、障害復旧応答構成情報を基地局から受信する。したがって、基地局によって送信された通信障害復旧応答を端末が検出したとき、端末は、障害復旧応答構成情報に基づいて、対応するダウンリンクチャネルで通信障害復旧応答を検出し得る。
【０１５７】
更に、端末は、端末の能力を基地局へ更に報告し得る。例えば、端末が以下の能力、すなわち、キャリアを跨いで通信障害復旧要求を送信する能力（例えば、第１サービングセルに障害が発生するとき、端末は第２サービングセルを使用して第１サービングセルの通信障害復旧機構を搬送する）、通信障害復旧要求をＰＵＳＣＨに追加する能力（例えば、端末は、第２サービングセルのＰＵＳＣＨで通信障害復旧要求を送信する）、および、ＰＤＳＣＨで通信障害復旧応答を検出する能力（例えば、端末は、第２サービングセルのＰＤＳＣＨで通信障害復旧応答を検出する）のうち１または複数を有する。端末によって報告される能力情報を基地局が受信した後に、基地局は、対応する構成情報を端末へ送信し得て、能力のうち１または複数を使用するよう端末に命令する。
【０１５８】
具体的には、端末は、第１指示情報を基地局へ送信し得て、第１指示情報は、端末がキャリアを跨いで通信障害復旧要求を送信する能力を有することを示すために使用される。代替的に、端末は、第２指示情報を基地局へ送信し得て、第２指示情報は、端末が通信障害復旧要求をＰＵＳＣＨに追加し得ることを示すために使用される。代替的に、端末は、第３指示情報を基地局へ送信し得て、第３指示情報は、端末が、ＰＤＳＣＨを使用することによって通信障害復旧応答を検出し得ることを示すために使用される。実際の適用において、端末は、ある時点において、端末の複数の能力を基地局へ報告し得る。例えば、端末は、ある時点において、上述の３つの能力のうち任意の２つを基地局へ報告し得る、または、ある時点において、上述の３つの能力を基地局へ報告し得る。このことは、本願の本実施形態において具体的に限定されない。
【０１５９】
上述の内容は主に、本願の実施形態において提供される解決手段を、ネットワーク要素間の相互作用の観点から説明している。ネットワーク要素は例えば、端末および基地局であることを理解されたい。前述の機能を実装するべく、ネットワーク要素は、機能を実行するための対応するハードウェア構造および／またはソフトウェアモジュールを含む。当業者であれば、本明細書において開示される実施形態において説明される例を参照して、ユニット、アルゴリズムのステップは、本願におけるハードウェア、または、ハードウェアおよびコンピュータソフトウェアの組み合わせによって実装され得ることを容易に認識するであろう。ある機能が、ハードウェアまたはコンピュータソフトウェアで駆動されるハードウェアで実行されるかどうかは、技術的解決手段の特定の用途および設計上の制約に依存する。当業者は、各特定の用途に対し、説明された機能を実装するために異なる方法を用いてよいが、当該実装が本願の保護範囲を超えるものとみなされるべきではない。
【０１６０】
本願の実施形態において、端末および基地局の機能モジュールは、上述の方法の例に従って分割することによって取得され得る。例えば、機能モジュールは、対応する機能に基づく分割を通して取得され得る、または、少なくとも２つの機能が１つのモジュールに統合され得る。統合されたモジュールは、ハードウェアの形態で実装され得る、または、ソフトウェア機能モジュールの形態で実装され得る。本願の実施形態において、モジュール分割は例であり、論理的な機能分割に過ぎないことに留意すべきである。実際の実装において、別の分割方式が使用され得る。以下では、機能モジュールが機能に基づく分割を通じて取得される例を説明のために使用する。
【０１６１】
統合されたユニットを使用する場合において、図９は、上記の実施形態において使用される無線通信機器の可能な構造の概略図である。無線通信機器は、端末、または端末において使用されるチップであり得て、無線通信機器は、処理ユニット９０１、送信ユニット９０２および受信ユニット９０３を備える。処理ユニット９０１は、上記の実施形態における段階３０１または段階３０４を無線通信機器が実行することをサポートするよう構成され得る、および／または、本明細書において説明される技術の別のプロセスを実行するよう構成される。送信ユニット９０２は、上記の実施形態における段階３０２または段階３０５を無線通信機器が実行することをサポートするよう構成される。受信ユニット９０３は、上記の実施形態における段階３０３または段階３０６を無線通信機器が実行することをサポートする。前述の方法の実施形態における段階のすべての関連内容は、対応する機能モジュールの機能説明において引用され得る。ここでは詳細を再度説明しない。
【０１６２】
ハードウェア実装に基づいて、本願における処理ユニット９０１は、無線通信機器のプロセッサであり得て、送信ユニット９０２は、無線通信機器の送信機であり得て、受信ユニット９０３は、無線通信機器の受信機であり得る。送信機および受信機は通常、送受信機として機能するように、共に統合され得る。具体的には、送受信機は、通信インタフェースとも称され得る。
【０１６３】
図１０は、本願の実施形態による上記の実施形態において使用される無線通信機器の可能な論理構造の概略図である。無線通信機器は、端末、または端末において使用されるチップであり得て、無線通信機器は、プロセッサ１００２および通信インタフェース１００３を含む。プロセッサ１００２は、無線通信機器の動作を制御および管理するよう構成される。例えば、プロセッサ１００２は、上記の実施形態における段階３０１および段階３０４を無線通信機器が実行することをサポートするよう構成される、および／または、本明細書において説明される技術の別のプロセスを実行するよう構成される。加えて、無線通信機器は更に、メモリ１００１およびバス１００４を備え得る。プロセッサ１００２、通信インタフェース１００３、およびメモリ１００１は、バス１００４を使用することによって互いに接続される。通信インタフェース１００３は、無線通信機器が通信を実行することをサポートするよう構成される。メモリ１００１は、プログラムコード、および、無線通信機器のデータを格納するよう構成される。
【０１６４】
プロセッサ１００２は、中央処理装置、汎用プロセッサ、デジタル信号プロセッサ、特定用途向け集積回路、フィールドプログラマブルゲートアレイ、別のプログラマブルロジックデバイス、トランジスタロジックデバイス、ハードウェアコンポーネント、または、任意の組み合わせであり得る。プロセッサ１００２は、本願に開示された内容を参照して説明された様々な例示的な論理ブロック、モジュール、および回路を実装または実行し得る。代替的に、プロセッサは、演算機能を実装するプロセッサの組み合わせ、例えば、１または複数のマイクロプロセッサの組み合わせ、または、デジタル信号プロセッサおよびマイクロプロセッサの組み合わせであり得る。バス１００４は、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス、または拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、および制御バス等に分類され得る。図１０中、図示の便宜上、バスは、１つの太線のみを用いて示されている。しかしながら、１つのみのバスが存在すること、または、１つのタイプのバスのみが存在することを示すわけではない。
【０１６５】
統合されたユニットを使用する場合において、図１１は、上記の実施形態において使用される無線通信機器の可能な構造の概略図である。無線通信機器は、基地局、または、基地局において使用されるチップであり得て、無線通信機器は、受信ユニット１１０１、処理ユニット１１０２、および送信ユニット１１０３を含む。受信ユニット１１０１は、無線通信機器が、上記の実施形態において、段階３０２において送信された通信障害復旧要求を受信すること、または、段階３０５において送信された通信障害復旧要求を受信することをサポートするよう構成される。処理ユニット１１０２は、無線通信機器が、上記の実施形態における、通信障害復旧応答を生成する段階を実行することをサポートするよう構成され、および／または、本明細書において説明される技術の別のプロセスを実行するよう構成される。送信ユニット１１０３は、上記の実施形態において、無線通信機器が通信障害復旧応答を端末へ送信する段階を実行することをサポートする。前述の方法の実施形態における段階のすべての関連内容は、対応する機能モジュールの機能説明において引用され得る。ここでは詳細を再度説明しない。
【０１６６】
ハードウェア実装に基づいて、本願における処理ユニット１１０２は、無線通信機器のプロセッサであり得て、受信ユニット１１０１は、無線通信機器の受信機であり得て、送信ユニット１１０３は、無線通信機器の送信機であり得る。送信機および受信機は通常、送受信機として機能するように、共に統合され得る。具体的には、送受信機は、通信インタフェースとも称され得る。
【０１６７】
図１２は、本願の実施形態による上記の実施形態において使用される無線通信機器の可能な論理構造の概略図である。無線通信機器は、基地局、または、基地局において使用されるチップであり得て、無線通信機器は、プロセッサ１２０２および通信インタフェース１２０３を含む。プロセッサ１２０２は、無線通信機器の動作を制御および管理するよう構成される。例えば、プロセッサ１２０２は、無線通信機器が通信障害復旧応答を生成する段階を実行することをサポートするよう構成される、および／または、本明細書において説明される技術の別のプロセスを実行するよう構成される。加えて、無線通信機器は更に、メモリ１２０１およびバス１２０４を備え得る。プロセッサ１２０２、通信インタフェース１２０３、およびメモリ１２０１は、バス１２０４を使用することによって互いに接続される。通信インタフェース１２０３は、無線通信機器が通信を実行することをサポートするよう構成される。メモリ１２０１は、プログラムコード、および、無線通信機器のデータを格納するよう構成される。
【０１６８】
プロセッサ１２０２は、中央処理装置、汎用プロセッサ、デジタル信号プロセッサ、特定用途向け集積回路、フィールドプログラマブルゲートアレイ、別のプログラマブルロジックデバイス、トランジスタロジックデバイス、ハードウェアコンポーネント、または、任意の組み合わせであり得る。プロセッサ１２０２は、本願に開示された内容を参照して説明された様々な例示的な論理ブロック、モジュール、および回路を実装または実行し得る。代替的に、プロセッサは、演算機能を実装するプロセッサの組み合わせ、例えば、１または複数のマイクロプロセッサの組み合わせ、または、デジタル信号プロセッサおよびマイクロプロセッサの組み合わせであり得る。バス１２０４は、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス、または拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、および制御バス等に分類され得る。説明を容易にするために、図１２において、バスは１つの太線のみを使用して示されているが、このことは、１つのバスだけがあること、または、１種類のバスだけがあることを意味するものではない。
【０１６９】
本願の別の実施形態において、可読記憶媒体が更に提供される。可読記憶媒体は、コンピュータ実行可能命令を格納する。コンピュータ実行可能命令が実行されるとき、デバイス（シングルチップマイクロコンピュータ、チップ、または同様のものであり得る）またはプロセッサは、前述の方法の実施形態において提供される無線通信方法における端末の段階を実行することが可能になる。上述の可読記憶媒体は、ＵＳＢフラッシュドライブ、リムーバブルハードディスク、リードオンリメモリ、ランダムアクセスメモリ、磁気ディスク、または光ディスクなど、プログラムコードを格納できる任意の媒体を含み得る。
【０１７０】
本願の別の実施形態において、可読記憶媒体が更に提供される。可読記憶媒体は、コンピュータ実行可能命令を格納する。コンピュータ実行可能命令が実行されるとき、デバイス（シングルチップマイクロコンピュータ、チップ、または同様のものであり得る）またはプロセッサは、前述の方法の実施形態において提供される無線通信方法における、基地局の段階を実行することが可能になる。上述の可読記憶媒体は、ＵＳＢフラッシュドライブ、リムーバブルハードディスク、リードオンリメモリ、ランダムアクセスメモリ、磁気ディスク、または光ディスクなど、プログラムコードを格納できる任意の媒体を含み得る。
【０１７１】
本願の別の実施形態では、コンピュータプログラム製品がさらに提供される。コンピュータプログラム製品はコンピュータ実行可能命令を含む。コンピュータ実行可能命令はコンピュータ可読記憶媒体に格納される。デバイスの少なくとも１つのプロセッサは、コンピュータ可読記憶媒体からコンピュータ実行可能命令を読み取り得る。少なくとも１つのプロセッサは、コンピュータ実行可能命令を実行することで、方法の実施形態において提供される無線通信方法における端末の段階をデバイスに実行させる。
【０１７２】
本願の別の実施形態では、コンピュータプログラム製品がさらに提供される。コンピュータプログラム製品はコンピュータ実行可能命令を含む。コンピュータ実行可能命令はコンピュータ可読記憶媒体に格納される。デバイスの少なくとも１つのプロセッサは、コンピュータ可読記憶媒体からコンピュータ実行可能命令を読み取り得る。少なくとも１つのプロセッサは、コンピュータ実行可能命令を実行することで、方法の実施形態において提供される無線通信方法における基地局の段階をデバイスに実行させる。
【０１７３】
本願の別の実施形態において、通信システムが更に提供される。通信システムは基地局および端末を含む。基地局は、少なくとも２つのサービングセルを使用することによって、端末のためにキャリアアグリゲーションサービスを提供し、少なくとも２つのサービングセルは、第１サービングセルおよび第２サービングセルを含む。端末、または、端末において使用されるチップは、図９または図１０に提供される無線通信機器であり得て、前述の方法の実施形態における端末の段階を実行するよう構成され、および／または、基地局、または、基地局において使用されるチップは、図１１または図１２に提供される無線通信機器であり得て、前述の方法の実施形態における基地局の段階を実行するよう構成される。
【０１７４】
本願の実施形態において、ダウンリンク通信障害が第１サービングセルにおいて生じたことを端末が検出したとき、端末は、第２サービングセルのダウンリンク通信が正常であると決定し、第２サービングセルのアップリンクチャネルで第１サービングセルの通信障害復旧要求を送信し、候補ビーム情報を取得するために第１サービングセルに対応するキャリアに対してビーム走査を実行してことなく、第２サービングセルのダウンリンクチャネルで通信障害復旧応答を検出する。これにより、ビーム走査時間が節約される。加えて、第２サービングセルは、正常な通信のサービングセルであり、通信障害復旧要求は、第２サービングセルのアップリンクチャネルで送信され、通信障害復旧応答は、第２サービングセルのダウンリンクチャネルで検出される。これにより、通信障害があるサービングセルに対して通信障害復旧を直接実行する手順と比較して、通信障害復旧成功率を増加させることができ、更に、高速通信障害復旧を実装できる。
【０１７５】
最後に、前述の説明は本願の単なる特定の実装例にすぎず、本願の保護範囲を限定する意図はないことに留意されたい。本願に開示された技術範囲内のあらゆる変形例または置換例は、本願の保護範囲に含まれることになる。したがって、本願の保護範囲は、特許請求の範囲に記載された保護範囲に従うことになる。
【図１】
0006962519.tif 000002
【図２】
0006962519.tif 000003
【図３】
0006962519.tif 000004
【図４】
0006962519.tif 000005
【図５】
0006962519.tif 000006
【図６】
0006962519.tif 000007
【図７】
0006962519.tif 000008
【図８】
0006962519.tif 000009
【図９】
0006962519.tif 000010
【図１０】
0006962519.tif 000011
【図１１】
0006962519.tif 000012
【図１２】
0006962519.tif 000013